(57)【要約】【課題】装置のアンテナ素子を使用して、無線通信装置を制御する。【解決手段】特定の実施形態においては、無線通信装置は、高周波トランシーバ、トランシーバに連結される複数のアンテナ、および処理回路を備える。装置は、高周波トランシーバを使用して、高周波基準信号を送信する。高周波基準信号が複数のアンテナより反射されると、装置は高周波基準信号の少なくとも１つの特性（例えば振幅、位相、分散、波形、あるいはひずみ）を決定する。装置は、特性に基づいて装置の周囲の環境の少なくとも１つの態様を続いて特徴づけ、少なくとも１つの態様に基づいて装置の機能を制御する。例えば、装置は、オブジェクト（例えば手あるいは他の体の部分）が装置に接近しているが装置にまだ接触していないことを検知し、特性に基づいて装置の第１の要素を駆動する。【選択図】  図５
2018023105.tif 000002
【特許請求の範囲】
【請求項１】
無線通信装置であって、
高周波トランシーバと、
タッチ・センサと、
該高周波トランシーバに連結される複数のアンテナと、
前記高周波トランシーバおよび前記タッチ・センサに連結される処理回路とを備え、同処理回路は、
前記高周波トランシーバに高周波基準信号を送信させ、
前記複数のアンテナの各々から反射される前記高周波基準信号の少なくとも１つの特性を決定し、
前記無線通信装置の少なくとも１つの機能を、
前記少なくとも１つの決定された特性に基づいて、オブジェクトが前記無線通信装置に接近していると決定するために前記無線通信装置の周囲の環境の少なくとも１つの態様を特徴付け、
前記オブジェクトが前記無線通信装置に接近しているとの決定に基づき、前記オブジェクトが前記無線通信装置に接触する前に前記無線通信装置の第１の要素を駆動し、同第１の要素は、ソーシャルネットワーキング・システムに関連するデータベースから１つまたは複数のコンテンツ・オブジェクトを取り出すことを含み、前記コンテンツ・オブジェクトは、前記無線通信装置に関連付けられた第１のユーザと前記ソーシャルネットワーキング・システムに関連付けられた１人または複数人の第２のユーザとの間のソーシャルグラフの類似性に基づいて取り出され、
前記オブジェクトが前記無線通信装置に接触していることを示す前記タッチ・センサから受信される信号に基づき、前記無線通信装置の第２の要素を駆動することにより制御するように構成される、無線通信装置。
【請求項２】
前記少なくとも１つの特性は、振幅、位相、分散、波形、およびひずみのうちの少なくとも１つを含む、請求項１に記載の無線通信装置。
【請求項３】
前記少なくとも１つの態様は、オブジェクトの存在または欠如、前記無線通信装置からの前記オブジェクトの距離、前記無線通信装置に対する前記オブジェクトの位置、前記無線通信装置に対する前記オブジェクトの運動、前記無線通信装置に対する前記オブジェクトの配向、前記無線通信装置の傾向、および前記無線通信装置への前記オブジェクトの飛行時間の測定のうちの少なくとも１つを含む、請求項１に記載の無線通信装置。
【請求項４】
前記オブジェクトは体の部分を含む、請求項１に記載の無線通信装置。
【請求項５】
モーション・センサをさらに含み、前記無線通信装置の第３の要素は、前記無線通信装置が運動しており、かつ前記オブジェクトが前記無線通信装置に接触していることで、駆動される、請求項１に記載の装置。
【請求項６】
前記情報あるいはコンテンツは、電子メール、ニュースフィード・アイテム、画像、ビデオ、リンク、音楽、通信、アーティクル、あるいはブログを含む、請求項１に記載の無線通信装置。
【請求項７】
前記第１の要素は、前記無線通信装置によって生成される音の音量を低減することを含む、請求項１に記載の無線通信装置。
【請求項８】
前記第２の要素は、前記無線通信装置のディスプレイ・スクリーンを照明することを含む、請求項１に記載の無線通信装置。
【請求項９】
前記第２の要素は、前記無線通信装置によって生成される音を消音することを含む、請求項１に記載の無線通信装置。
【請求項１０】
無線通信装置の高周波トランシーバによって、高周波基準信号を送信する工程と、
前記無線通信装置のプロセッサによって、前記高周波トランシーバに連結される複数のアンテナの各々から反射される前記高周波基準信号の少なくとも１つの特性を決定する工程と、
前記プロセッサによって、前記無線通信装置の少なくとも１つの機能を、
前記少なくとも１つの決定された特性に基づいて、オブジェクトが前記無線通信装置に接近していると決定するために前記無線通信装置の周囲の環境の少なくとも１つの態様を特徴付けるサブ工程と、
前記オブジェクトが前記無線通信装置に接近しているとの決定に基づき、前記オブジェクトが前記無線通信装置に接触する前に前記無線通信装置の第１の要素を駆動するサブ工程であって、同第１の要素は、ソーシャルネットワーキング・システムに関連するデータベースから１つまたは複数のコンテンツ・オブジェクトを取り出すことを含み、前記コンテンツ・オブジェクトは、前記無線通信装置に関連付けられた第１のユーザと前記ソーシャルネットワーキング・システムに関連付けられた１人または複数人の第２のユーザとの間のソーシャルグラフの類似性に基づいて取り出される、前記第１の要素を駆動するサブ工程と、
前記オブジェクトが前記無線通信装置に接触していることを示す、前記無線通信装置のタッチ・センサから受信される信号に基づき、前記無線通信装置の第２の要素を駆動するサブ工程とにより制御する工程とを含む、方法。
【請求項１１】
前記少なくとも１つの態様は、オブジェクトの存在または欠如、前記無線通信装置からの前記オブジェクトの距離、前記無線通信装置に対する前記オブジェクトの位置、前記無線通信装置に対する前記オブジェクトの運動、前記無線通信装置に対する前記オブジェクトの配向、前記無線通信装置の傾向、および前記無線通信装置への前記オブジェクトの飛行時間の測定のうちの少なくとも１つを含む、請求項１０に記載の方法。
【請求項１２】
前記オブジェクトは体の部分を含む、請求項１０に記載の方法。
【請求項１３】
前記無線通信装置のモーション・センサによって、前記無線通信装置が運動しており、かつ前記オブジェクトが前記無線通信装置に接触していることを検知する工程と、
前記無線通信装置の第３の要素を駆動する工程とをさらに含む、請求項１０に記載の方法。
【請求項１４】
前記少なくとも１つの特性は、振幅、位相、分散、波形、あるいはひずみのうちの少なくとも１つを含む、請求項１０に記載の方法。
【請求項１５】
ソフトウェアを具体化する１つまたは複数の非一時的なコンピュータ可読記憶媒体であって、該ソフトウェアは実行時に、
無線通信装置の高周波トランシーバによって、高周波基準信号を送信し、
前記無線通信装置のプロセッサによって、前記高周波トランシーバに連結される複数のアンテナの各々から反射される前記高周波基準信号の少なくとも１つの特性を決定し、
前記プロセッサによって、前記無線通信装置の少なくとも１つの機能を、
前記少なくとも１つの決定された特性に基づいて、オブジェクトが前記無線通信装置に接近していると決定するために前記無線通信装置の周囲の環境の少なくとも１つの態様を特徴付け、
前記オブジェクトが前記無線通信装置に接近しているとの決定に基づき、前記オブジェクトが前記無線通信装置に接触する前に前記無線通信装置の第１の要素を駆動し、前記第１の要素は、ソーシャルネットワーキング・システムに関連するデータベースから１つまたは複数のコンテンツ・オブジェクトを取り出すことを含み、前記コンテンツ・オブジェクトは、前記無線通信装置に関連付けられた第１のユーザと前記ソーシャルネットワーキング・システムに関連付けられた１人または複数人の第２のユーザとの間のソーシャルグラフの類似性に基づいて取り出され、
前記オブジェクトが前記無線通信装置に接触していることを示す、前記無線通信装置のタッチ・センサから受信される信号に基づき、前記無線通信装置の第２の要素を駆動することにより制御するように動作可能である、媒体。
【請求項１６】
前記少なくとも１つの特性は、振幅、位相、分散、波形、あるいはひずみのうちの少なくとも１つを含む、請求項１５に記載の媒体。
【請求項１７】
前記少なくとも１つの態様は、前記オブジェクトの存在または欠如、前記無線通信装置からの前記オブジェクトの距離、前記無線通信装置に対する前記オブジェクトの位置、前記無線通信装置に対する前記オブジェクトの運動、前記無線通信装置に対する前記オブジェクトの配向、前記無線通信装置の傾向、および前記無線通信装置への前記オブジェクトの飛行時間の測定のうちの少なくとも１つを含む、請求項１５に記載の媒体。
【請求項１８】
前記オブジェクトは体の部分を含む、請求項１５に記載の媒体。
【請求項１９】
前記ソフトウェアは、実行時に、
前記無線通信装置のモーション・センサによって、前記無線通信装置が運動しており、かつ前記オブジェクトが前記無線通信装置に接触していることを検知し、
前記無線通信装置の第３の要素を駆動するようにさらに動作可能である、請求項１５に記載の媒体。
【発明の詳細な説明】
【技術分野】
【０００１】
特定の実施形態は、装置のアンテナ素子を使用して、無線通信装置を制御することに関する。
【背景技術】
【０００２】
モバイル通信装置は、高周波信号のような電磁波を使用する複数のワイヤレス・プロトコルのうちの任意のものを使用して、基地局、衛星、および他のワイヤレス装置のような様々なタイプの装置と無線で通信する。いくつかのモバイル・デバイスにおいて、高周波信号は、約２．４００ＧＨｚ乃至約２．４８３ＧＨｚ（ＩＥＥＥ  ８０２．１１  Ｗｉ−Ｆｉおよびブルートゥースに使用される）のＩＳＭバンド周波数にある。他のモバイル・デバイスでは、高周波信号は、約４９１５ＭＨｚ乃至約５８２５ＭＨｚ（Ｗｉ−Ｆｉに使用される）の５ＧＨｚのＵ−ＮＩＩバンド周波数で送信される。他のモバイル・デバイスでは、高周波信号は１５７５．４２および１２２７．６０ＭＨｚ（ＧＰＳのために使用される）である。他のモバイル・デバイスでは、高周波信号は、約８００ＭＨｚ、約８５０ＭＨｚ、約９００ＭＨｚ、約１５００ＭＨｚ、約１７００ＭＨｚ、約１８００ＭＨｚ、約１９００年ＭＨｚ、あるいは約２１００ＭＨｚであるＵＭＴＳ／ＬＴＥバンド周波数にある。他の周波数帯もモバイル・デバイスによってサポートされる。モバイル・デバイスによってサポートされる各周波数帯については、アンテナは所定のインピーダンスで電磁波を電圧に変換することができる必要がある。
【０００３】
モバイル・デバイスは通常デバイス・ハウジングに対して配置される、すなわちデバイスの機械的構造体内に埋め込まれる平面または三次元構造体のアンテナを有する。デバイスによってサポートされる無線周波数および標準の数より大きいか、等しいか、小さい数のアンテナが設けられる。１組のアンテナは、装置の周囲の背面上、および／または前面上に設けられる。
【０００４】
ほとんどの材料は高周波を透過するものではなく、回析効果を生じるものである。モバイル・デバイスによる課題のうちの１つは、手および腕のような人体の部分が、例えば人体上の無線周波数信号の吸収／リダイレクション（ｒｅｄｉｒｅｃｔｉｏｎ）により、トランスミッタから生成される信号を減衰し、かつ／または、他の装置によって送信された信号を減衰することにある。例えば、モバイル通信装置を保持する手は、無線通信信号の送信および受信に影響し得る。
【発明の概要】
【発明が解決しようとする課題】
【０００５】
ほとんどの材料は高周波を透過するものではなく、回析効果を生じるものである。モバイル・デバイスによる課題のうちの１つは、手および腕のような人体の部分が、例えば人体上の無線周波数信号の吸収／リダイレクション（ｒｅｄｉｒｅｃｔｉｏｎ）により、トランスミッタから生成される信号を減衰し、かつ／または、他の装置によって送信された信号を減衰することにある。例えば、モバイル通信装置を保持する手は、無線通信信号の送信および受信に影響し得る。
【課題を解決するための手段】
【０００６】
特定の実施形態においては、人間の手や他の体の部分が無線通信装置に接近すると、装置は人間の手や他の体の部分を検知し、検知に基づいて装置の要素や機能を制御する。装置は高周波トランシーバを使用して、高周波基準信号を送信する。高周波基準信号が複数のアンテナの各々から反射されると、装置は高周波基準信号の少なくとも１つの特性（例えば振幅、位相、分散、波形、あるいはひずみ）を決定する。装置は、特性に基づいて装置の周囲の環境の少なくとも１つの態様を続いて特徴づけ、少なくとも１つの態様に基づいて装置の機能を制御する。例えば、装置は、オブジェクト（例えば手あるいは他の体の部分）が装置に接近しているが装置にまだ接触していないことを検知し、特性に基づいて装置の第１の要素を駆動する。
【図面の簡単な説明】
【０００７】
【図１】モバイル通信装置の前面および背面側を示す概略図。
【図２】図１の装置の背面で装置を保持する手を示す概略図。
【図３】例示的な実施形態による、Ｎ個の同一または異なるアンテナ素子を含むアンテナシステムの設計代案を示す図。
【図４】手が存在する場合の図３のアンテナ構造体を示す図。
【図５】例示的な実施形態による図４の要素を実行するために使用される回路を示す概略的なブロック図。
【図６】例示的な実施形態による図５に選択されるべきアンテナを決定するための論理フローチャート図。
【図７】例示的な実施形態によるスイッチ構造体に接続される複数のアンテナ素子を備えた回路を示す概略的なブロック図。
【図８】例示的な実施形態によるより詳細な回路実装を示す概略的なブロック図。
【図９】例示的な実施形態により図８において選択されるべきアンテナを決定するための論理フローチャート図。
【図１０】ソーシャルネットワーキング・システムに関連付けられたネットワーク環境を例示する図。
【図１１】ソーシャルグラフを例示する図。
【発明を実施するための形態】
【０００８】
（定義）
本明細書および添付の特許請求の範囲において使用されるように、もし文脈上他に要求されなければ、次の用語は、表示の意味を有するものとする。
【０００９】
「組」は少なくとも１つの部材を有する。
「無線通信装置」は、ブルートゥース、Ｗｉ−Ｆｉ、ＧＳＭ（登録商標）（ＧＰＲＳ、３Ｇ、４Ｇ）、あるいはＣＤＭＡ、ＧＰＳ、ＲＦＩＤ、あるいは他の無線通信技術などによる無線通信能力を有する装置である。無線通信装置は、例えば、モバイル・デバイスから物質界においてタグ付け可能な任意のものなどの、事実上任意のタイプのデバイスである。
【００１０】
「モバイル通信装置」はポータブル無線通信装置である。
複数のアンテナに関して、用語「ハウジングに対して配置される」は、アンテナがハウジング内の様々な位置に、および／またはハウジングの１つ以上の内面または外面上に配置され、かつ／またはアンテナ自体がハウジングの１つ以上の表面を形成することを示す（例えば、ハウジングの前面、背面、および／または外縁のすべてまたは一部）。
【００１１】
本発明の第１の実施形態において、ハウジング、ハウジングに配置された高周波トランシーバ、トランシーバに接続されるとともにハウジングに対して配置された複数のアンテナ、およびハウジング内に配置されるとともに高周波トランシーバに接続された処理回路を有する無線通信装置が設けられる。処理回路は、高周波トランシーバに高周波基準信号を送信させ、複数のアンテナの各々により反射される高周波基準信号の少なくとも１つの特性を決定し、少なくとも１つの決定された特性を格納し、少なくとも１つの決定された特性に基づいて複数のアンテナのうちの少なくとも１本のアンテナを選択するように少なくとも１つの決定された特性を処理するように構成される。
【００１２】
さらなる関連する実施形態においては、処理回路は、複数のアンテナの各々より反射された信号の少なくとも１つの特性に基づいて複数のアンテナを選択し、かつトランシーバに複数の選択されたアンテナを選択的に接続するように構成される。任意により、通信装置は、複数のアンテナおよび処理回路に連結されたプログラム可能なスイッチング装置を含む。処理回路は、プログラム可能なスイッチング装置を介してトランシーバに複数の選択されたアンテナを選択的に接続するように構成される。さらに任意により、処理回路はプログラム可能なスイッチング装置を介して平行にトランシーバに複数の選択されたアンテナを選択的に接続するように構成される。
【００１３】
関連する別例においては、装置は、複数のアンテナおよび処理回路に接続された制御可能なインピーダンスを含む。処理回路は高周波トランシーバと少なくとも１本のアンテナとの間のインピーダンスを選択的に制御するように構成される。
【００１４】
さらなる関連する別例においては、少なくとも１つの特性は、振幅、位相、分散、波形、あるいはひずみの少なくとも１つを含む。
別例においては、本発明は、高周波トランシーバおよび高周波トランシーバに接続された複数のアンテナを有する無線通信装置を使用して、高周波通信を提供する方法である。本実施形態の方法は、無線通信装置で高周波基準信号を送信する工程と、複数のアンテナの各々から反射される高周波基準信号の少なくとも１つの特性を決定する工程と、少なくとも１つの決定された特性を格納する工程と、少なくとも１つの決定された特性に基づいて複数のアンテナのうちの少なくとも１本のアンテナを選択するように少なくとも１つの決定された特性を処理する工程とを含む。
【００１５】
関連する実施形態において、少なくとも１つの決定された特性に基づいて複数のアンテナのうちの少なくとも１本のアンテナを選択するように少なくとも１つの決定された特性を処理する工程は、複数のアンテナの各々からの反射された信号の少なくとも１つの特性に基づいて複数のアンテナを選択する工程と、トランシーバに複数の選択されたアンテナを選択的に接続する工程とを含む。
【００１６】
関連する本実施形態のさらなる選択肢として、トランシーバに複数の選択されたアンテナを選択的に接続する工程は、プログラム可能なスイッチング装置を介してトランシーバに複数の選択されたアンテナを選択的に接続する工程を含む。さらに、任意により、プログラム可能なスイッチング装置を介してトランシーバに複数の選択されたアンテナを選択的に接続する工程は、プログラム可能なスイッチング装置を介してトランシーバに複数の選択されたアンテナを平行に選択的に接続する工程を含む。
【００１７】
関連する別例は、複数のアンテナおよび処理回路に接続された制御可能なインピーダンスをさらに含む。処理回路は高周波トランシーバと少なくとも１本のアンテナとの間のインピーダンスを選択的に制御するように構成される。
【００１８】
関連する別例では、少なくとも１つの特性は、振幅、位相、分散、波形、あるいはひずみの少なくとも１つを含む。
別例において、ハウジング、ハウジングに配置された高周波トランシーバ、トランシーバに接続されるとともにハウジングに対して配置された複数のアンテナ、およびハウジング内に配置されるとともに高周波トランシーバに接続された処理回路を有する無線通信装置が設けられる。処理回路は、高周波トランシーバに高周波基準信号を送信させ、複数のアンテナの各々により反射される高周波基準信号の少なくとも１つの特性を決定し、少なくとも１つの決定された特性を格納し、装置の少なくとも１つの機能を制御するように少なくとも１つの決定された特性を処理するように構成される。
【００１９】
さらなる関連する実施形態では、少なくとも１つの特性は、振幅、位相、分散、波形、あるいはひずみの少なくとも１つを含む。任意により、少なくとも１つの機能は、トランシーバに接続する少なくとも１本のアンテナを選択すること、トランシーバから分断する少なくとも１本のアンテナを選択すること、および大型の有効なアンテナを形成するべく複数のアンテナを連結することのうちの少なくとも１つを含む。任意により、少なくとも１つの機能を制御するために、少なくとも１つの決定された特性を処理する工程は、少なくとも１つの決定された特性に基づいて装置の周囲の環境の少なくとも１つの態様を特徴づける工程と、少なくとも１つの態様に基づいて装置の少なくとも１つの機能を制御する工程とを含む。任意により、少なくとも１つの態様は、オブジェクトの存在または欠如、装置からのオブジェクトの距離、装置に対するオブジェクトの位置、装置に対するオブジェクトの運動、装置に対するオブジェクトの配向、装置の傾向、および装置へのオブジェクトの飛行時間の測定のうちの少なくとも１つを含む。
【００２０】
さらなる関連する実施形態では、少なくとも１つの機能はそのような特性に基づいて装置の要素を駆動することを含む。任意により、要素は、オブジェクトが装置に接近しているが、オブジェクトは装置に接触する前であることを検知することで駆動される。さらに任意により、少なくとも１つの機能はそのような特性に基づいて装置において作動するアプリケーションを制御することを含む。任意により、オブジェクトは体の部分を含む。
【００２１】
別例において、本発明は、複数のアンテナを有するワイヤレス・デバイスを使用して、高周波通信を提供する無線通信装置の少なくとも１つの機能を制御する方法を提供する。方法は、無線通信装置で高周波基準信号を送信する工程と、複数のアンテナの各々から反射される高周波基準信号の少なくとも１つの特性を決定する工程と、少なくとも１つの決定された特性を格納する工程と、装置の少なくとも１つの機能を制御するように少なくとも１つの決定された特性を処理する工程とを含む、方法。
【００２２】
さらなる関連する実施形態では、少なくとも１つの特性は、振幅、位相、分散、波形、あるいはひずみの少なくとも１つを含む。任意により、少なくとも１つの機能は、トランシーバに接続する少なくとも１本のアンテナを選択すること、トランシーバから分断する少なくとも１本のアンテナを選択すること、および大型の有効なアンテナを形成するべく複数のアンテナを連結することのうちの少なくとも１つを含む。任意により、少なくとも１つの機能を制御するために、少なくとも１つの決定された特性を処理する工程は、少なくとも１つの決定された特性に基づいて装置の周囲の環境の少なくとも１つの態様を特徴づける工程と、少なくとも１つの態様に基づいて装置の少なくとも１つの機能を制御する工程とを含む。任意により、少なくとも１つの態様は、オブジェクトの存在または欠如、装置からのオブジェクトの距離、装置に対するオブジェクトの位置、装置に対するオブジェクトの移動、装置に対するオブジェクトの配向、装置の傾向、および装置へのオブジェクトの飛行時間の測定のうちの少なくとも１つを含む。任意により、少なくとも１つの機能はそのような特性に基づいて装置の要素を駆動することを含む。任意により、要素は、オブジェクトが装置に接近しているが、オブジェクトは装置に接触する前であることを検知することで駆動される。任意により、少なくとも１つの機能はそのような特性に基づいて装置において作動するアプリケーションを制御することを含む。任意により、オブジェクトは体の部分を含む。
【００２３】
図１は、例示のモバイル通信装置１００の前面および背面側を示す概略図である。モバイル・デバイスは、高周波信号のような電磁波を使用する複数のワイヤレス・プロトコルのうちの任意のものを使用して、基地局、衛星、および他のワイヤレス装置のような様々なタイプの装置と無線で通信する。いくつかのモバイル・デバイスにおいて、高周波信号は、約２．４００ＧＨｚ乃至約２．４８３ＧＨｚ（ＩＥＥＥ  ８０２．１１  Ｗｉ−Ｆｉおよびブルートゥースに使用される）のＩＳＭバンド周波数にある。他のモバイル・デバイスでは、高周波信号は、約４９１５ＭＨｚ乃至約５８２５ＭＨｚ（Ｗｉ−Ｆｉに使用される）の５ＧＨｚのＵ−ＮＩＩバンド周波数で送信される。他のモバイル・デバイスでは、高周波信号は１５７５．４２および１２２７．６０ＭＨｚ（ＧＰＳのために使用される）である。他のモバイル・デバイスでは、高周波信号は、約８００ＭＨｚ、約８５０ＭＨｚ、約９００ＭＨｚ、約１５００ＭＨｚ、約１７００ＭＨｚ、約１８００ＭＨｚ、約１９００年ＭＨｚ、あるいは約２１００ＭＨｚであるＵＭＴＳ／ＬＴＥバンド周波数にある。他の周波数帯もモバイル・デバイスによってサポートされる。モバイル・デバイスによってサポートされる各周波数帯については、アンテナは所定のインピーダンスで電磁波を電圧に変換することができる必要がある。モバイル・デバイスは通常デバイス・ハウジングに対して配置される、すなわちデバイスの機械的構造体内に埋め込まれる平面または三次元構造体のアンテナを有する。デバイスによってサポートされる無線周波数および標準の数より大きいか、等しいか、小さい数のアンテナが設けられる。１組のアンテナは、装置１００の周囲の背面１２０上、および／または前面上に設けられる。アンテナ１２０は、単にアンテナの組を形成する１組の幾何学的パターンの境界ボックスであるものといえる。
【００２４】
本例示的な実施形態では、補助アンテナ１０５は、図示のように、８４０乃至９６０ＭＨｚの高周波フィールド１２５、あるいは原則として２．４００乃至２．４８３ＧＨｚなどの他の高周波／マイクロ波の高周波フィールド１２５を介して１つ以上のＲＦＩＤタグ１３０とモバイル・デバイスとのインターフェースとなる。２．４００乃至２．４８３ＧＨｚのバンドがＲＦＩＤ作動に利用可能でない場合、補助アンテナ１０５が必要である。モバイル・デバイスの主目的はＲＦＩＤ機能以外のすべての通信用である。したがって、アンテナ１２０は装置のアクセス可能なエリアの最大のエリアまたは容積を占めるであろう。アンテナ１０５は、ＲＦＩＤのための相互作用の所与の波長の理想的な幾何学（通常１２乃至３５ｃｍ）ではないが、携帯電話の抑制された所与の幾何学では、妥協が必要である。
【００２５】
ほとんどの材料は高周波を透過するものではなく、回析効果を生じるものである。モバイル・デバイスによる課題のうちの１つは、手および腕のような人体の部分が、例えば人体上の無線周波数信号の吸収／リダイレクション（ｒｅｄｉｒｅｃｔｉｏｎ）により、トランスミッタから生成される信号を減衰し、かつ／または、他の装置によって送信された信号を減衰することにある。例えば、モバイル通信装置を保持する手は、無線通信信号の送信および受信に影響し得る。
【００２６】
図２は、装置２１０の背面で装置を保持する手２００を示す概略図である。この場合、手の指および接近は、ＲＦＩＤアンテナ１０５がうまくマッチしていない、かつ／または適切に放射できていないことを意味する。本技術において、ＲＦＩＤ読取り装置回路は、自己妨害電波キャンセル機能、リターン・ロス・マッチング、あるいはレシーバのノイズ・フロアやダイナミック・レンジを改善する他の手段を組み込む。これは貧弱なアンテナ・マッチに対応するものであるが、小さくなったアンテナ放射パターンに対応することはできない。ＲＦＩＤ作動の理想的な例において、ＲＦＩＤタグが電力供給から電力停止に推移する時点において、これを電力しきい値と呼ぶが、ＲＦＩＤ読取装置のレシーバは、エラーの可能性またはパケット・エラー率（ＰＥＲ）が非常に低いパケットをデコードするために十分な受信マージンをなお有する。これをトランスミッタ制限と呼ぶ。ＲＦＩＤタグではなくレシーバが限定要因である場合に、これをレシーバ制限と呼ぶ。ＲＦＩＤタグ１３０がＲＦＩＤフィールド２２５によって電力が供給されると、ＲＦＩＤアンテナ１０５をブロックする手は、タグが操作範囲２２７において電源投入されない程度にタグ読み書き範囲を低減する。データ、位置、および音声コミュニケーション・アンテナ１２０は、アンテナ特性のこの変化にさらにさらされるが、無線データ、位置、および音声通信用の作動経路損失がＲＦＩＤ経路損失（４０乃至６０ｄＢ）よりも大きい（９０乃至１５０ｄＢ）ので、手がある状態でのリンク・マージンは通常正の状態を保持する。したがって、ＲＦＩＤ通信システムは、従来のデータ、位置、および音声通信に対する携帯電話の組み込みで争う２つの短所、すなわち低いリンク・マージンおよびモバイル通信装置上の最適以下のアンテナ設計を有する。
【００２７】
所定の実施形態では、無線通信装置は複数の切り替え可能なアンテナ素子を含む。アンテナ素子は、無線通信装置と他の装置とのインターフェースを向上させることに使用され、例えば、ＲＦＩＤ装備のモバイル通信装置と他のＲＦＩＤ装置とのインターフェースとなり（例えば、他のＲＦＩＤ装置へのより良好な電源投入、および／または他のＲＦＩＤ装置との通信）、かつ／または無線通信装置の周囲の環境の様々な態様を特徴づけることに使用され、人々が無線通信装置と対話できるようにより自然なインターフェースを形成することを補助するなどする。
【００２８】
図３は、例示的な実施形態による、Ｎ個の同一または異なるアンテナ素子（例えば３１０）を含むアンテナシステム３００の設計代案を示す。これらの要素は、プリント回路基板やフレキシブル回路基板上のエッチングまたはプリント要素のような例示的な一実施形態に存在するが、開示される実施形態は、エッチングされるアンテナ要素やプリントアンテナ要素に限定されるものではなく、これに代えて１つ以上の他のタイプのアンテナを含む。アンテナは事実上任意の形状、寸法、厚み、あるいは配置である。例えば、３Ｄ印刷あるいは従来の機械加工技術を使用して、これらの要素は三次元の金属構造体である。要素の各々は、トランスミッタへの独立したパスを有し、あるいは、十分にフレキシブルに構成される場合、付加的に、あるいはこれに代えて、隣接する要素への、電圧、グランド、抵抗接続、および／または反応接続を許可し、これにより、より大きなアンテナを形成することができる。図３に示す要素の寸法、数、および形状は、設計の示唆のみである。データおよび音声通信１２０用の原遠方界アンテナもアンテナ素子に含まれ、例えば、周期的または非周期的な格子に並べられるＭ個のより小さなアンテナを使用する。従って、例えば、アンテナ素子は、約２．４００ＧＨｚ乃至約２．４８３ＧＨｚのＩＳＭバンド周波数（Ｗｉ−Ｆｉおよびブルートゥースに使用される）に、約４９１５ＭＨｚ乃至約５８２５ＭＨｚの５ＧＨｚのＵ−ＮＩＩバンド周波数（Ｗｉ−Ｆｉに使用される）に、１５７５．４２および１２２７．６０ＭＨｚのバンド周波数（ＧＰＳのために使用される）に、ＵＭＴＳ／ＬＴＥバンド周波数（約８００ＭＨｚ、約８５０ＭＨｚ、約９００ＭＨｚ、約１５００ＭＨｚ、約１７００ＭＨｚ、約１８００ＭＨｚ、約１９００年ＭＨｚ、あるいは約２１００ＭＨｚである）に、８４０乃至９６０ＭＨｚのバンド周波数（ＲＦＩＤのために使用される）に、および／または他の高周波／マイクロ波バンドに含まれる。この図は、モバイル通信装置の表面上でアンテナ素子を可視のものとして示すが、これは例示目的に過ぎず、アンテナ素子は、例えば、ガラス、プラスチック、セラミック、化合物、あるいは他の材料の下に隠れて目に見えなくてもよい。
【００２９】
図４は手２００が存在する場合の同じアンテナ構造体３１０を示す。多数のアンテナ素子は手２０５によって装置の背面上で覆われ、不明瞭な要素として示されるが、いくつかのアンテナ素子は覆われていない状態を保持し、貧弱なリターン・ロスおよび手につながる放射パスとは独立してトランスミッタに接続可能である。手の存在によって影響を受けないアンテナ素子の一例は、３１５である。所定の実施形態においては、自由なアンテナ素子のうちのいくつかまたはすべては、１つ以上の無線装置のトランスミッタおよび／またはレシーバに平行に接続される。無線プロトコルが１台以上のトランスミッタおよび／またはレシーバを有する別例においては、自由な要素が、各トランスミッタおよびレシーバに独立して接続される。さらなる別例においては、自由なアンテナ素子のうちのいくつかまたはすべては、放射および電力伝達を最適化するために互いに接続される。図１および図２を参照して上述したようなＲＦＩＤ通信能力を備えたモバイル通信装置に関して、装荷アンテナ素子に接続されることにより負荷のなくなった自由なアンテナ素子３１５を利用することにより、モバイル通信装置３２５によって生成される高周波フィールドは、図２に示す従来の構造体１０５に対して大きさがより大きくなるが図１に示すように手が存在しない場合の高周波フィールド１２５ほど大きくないものとする。高周波フィールド３２５が高周波フィールド２２５よりも大きい場合、読み取り範囲４２７は２２７よりも大きくなり、操作空間がより信頼性の高いものとなる。本実施形態においては、ＲＦＩＤタグ１３０は、別の無線通信装置であり、そのアンテナ３２０は、３１０および３１５のような複数のアンテナ素子からなるものといえる。
【００３０】
図５は、例示的な実施形態による図４の要素を実行するために使用される回路を示す概略的なブロック図である。従来のＲＦＩＤ読取り装置と同様に、方向性結合器５０５はＯＵＴポートにトランスミッタ電源をつなぐ。方向性結合器は、デジタル信号５０１によって制御されるデジタルで制御可能なスイッチ５００を介してＮアンテナ・ポート５１０乃至５１２のうちの１つに接続される。いくつかの実施形態においては、方向性結合器５０５は、サーキュレータであり、ＣＯＵＰポートは設けられない。この例において、Ｎアンテナ５３０乃至５３２の３つが強調表示される。方向性結合器のＩＳＯポートは、ＯＵＴポートに入るとともにレシーバに配向される、アンテナからの力を伝達する。これは、トランスミッタおよびＲＦＩＤタグ後方散乱データからの自己妨害機能、および方向性結合器絶縁体（通常１５乃至４０ｄＢ）によって低減されるＩＮポートでの送信電力を含む。自己妨害レベルは、アンテナの送信電力レベルおよびリターン・ロスの機能である。ＲＦＩＤタグ後方散乱データ・レベルはＲＦＩＤタグへの経路損失、およびＲＦＩＤタグ自体の機能である。ＣＯＵＰポートは、方向性結合器絶縁体（通常１５乃至４０ｄＢ）によって低減される結合係数（通常３乃至２０ｄＢ）およびアンテナ高周波信号によって低減される送信電力を含む。自己妨害レベルのような連結電力は、送信電力の機能である。図示のアンテナ５１０乃至５１２は、手２００および２０５によるモバイル・デバイス５３０乃至５３２上のこれらに対応する境界ボックスアンテナ素子を有する。本実施形態では、Ｎウェイ・スイッチ５００により、単一のアンテナ素子のみが一度に活性化される。しかしながら、時間順のデジタル制御５０１の適用により、アンテナ・パターンは複数のアンテナ素子を適切に使用してもよい。
【００３１】
図６は、例示的な実施形態による図５で選択されるべきアンテナを決定するための論理フローチャート図である。アルゴリズムの開始において、工程６０１でデジタル・スイッチ５００は位置を１に切り替えるように構成される。アナログ・スイッチが高周波電源をオンにしたまま破損すると、工程６０２でトランスミッタは任意により電源Ｐによりオンされる。この電源は電力を節約するために最終的なトランスミッタ電力よりも低い。ＩＳＯポートおよびＣＯＵＰポート上の測定は、方向性結合器５０５上でなされる。ＩＳＯポートはＲＸ信号を測定し、ＣＯＵＰポートはＴＸ信号を測定する。対のＴＸ（電力あるいはＩ＆Ｑ信号）およびＲＸ（電力あるいはＩ＆Ｑ信号）は、ベクトルとして格納される。トランスミッタが、続いて工程６０５で任意によりオフとされ、カウンタｉが工程６０６でインクリメントされる。工程６０７でｉの値がＮ未満である場合、工程６０９アンテナはこの新しい設定に切り替えられ、任意により、工程６１０で電源は電源Ｐでオンにされ、続いて工程６０３でサイクルが再び繰り返される。工程６０７で、ｉがＮと等しい場合、アンテナ・スイッチ５００は、最も低い組み合わされたＴＸおよびＲＸのベクトル標準またはｄＢで最も高いリターン・ロスによるアンテナを選択するように構成される。スイッチ５００により、複数のアンテナが平行に一体的に接続される場合（対応する負荷が同様に存在する）、最も低い組み合わされたＴＸおよびＲＸのベクトル標準またはｄＢで最も高いリターン・ロスを有する２本以上のトップのＭアンテナ（Ｍ＜Ｎ）は、平行に接続される。トップのＭ要素を一体的に接続することができない場合、要素は時間順の方法で切り替えられる。
【００３２】
図７は、例示的な実施形態によるスイッチ構造体７００に接続される複数のアンテナ素子７１０乃至７１２を備えた回路を示す概略的なブロック図である。この構造体により、隣接するアンテナ素子が一体的に接続され、これにより、より大きなアンテナが形成され、かつ／または複数の非隣接アンテナが一体的に接続される。エネルギーがトランスミッタから最大で送られるように、かつエネルギーがレシーバに送られるように、制御可能なインピーダンス７２０は、方向性結合器のＣＯＵＰポートに負荷される（例えば、得られるアンテナ構造体は、送信パワーアンプ（ＰＡ）５０２および方向性結合器５０５のインピーダンスとマッチするインピーダンスを有さない）。
【００３３】
図８は、例示的な実施形態によるより詳細な回路実装を示す概略的なブロック図である。スイッチ・マトリックスはＮ独立スイッチとして設けられ、アンテナ５１０乃至５１２が平行に接続される。制御可能なインピーダンスは、例えば、米国特許出願公開第２０１０／００６９０１１号明細書に開示されるインピーダンス制御回路のようなインピーダンス制御回路として設けられる。明細書はその全体がここに開示されたものとする。直交ハイブリッド要素８２０は、ＩＮのポートとＯＵＴのポートとの間、およびＩＮのポートとＣＯＵＰポートとの間の連結が等しく−３ｄＢの値によること以外は方向性結合器と同様である。ＯＵＴポートとＣＯＵＰポートとの間の位相関係は、９０度位相が異なる。ＯＵＴポートとＣＯＵＰポートとにおいては、ＩＳＯポート上の可変キャパシタンス８３０および８３１並びに可変抵抗８３５により、スミス図表の２分の１に複素インピーダンスを形成することができる。オープンおよびショートのスイッチ８４０により、スミス図表の残り半分にインピーダンスの位置をフリップすることができる。
【００３４】
図９は、例示的な実施形態により図８において選択されるべきアンテナを決定するための論理フローチャート図である。アルゴリズムの開始において、工程９０１でデジタル・スイッチ５００は位置を１に切り替えるように構成される。アナログ・スイッチが高周波電源をオンにしたまま破損すると、工程９０２でトランスミッタは任意により電源Ｐによりオンされる。この電源は電力を節約するために最終的なトランスミッタ電力よりも低い。ＩＳＯポートおよびＣＯＵＰポート上の測定は工程９０３において方向性結合器５０５上でなされる。ＩＳＯポートはＲＸ信号を測定し、ＣＯＵＰポートはＴＸ信号を測定する。対のＴＸ（電力あるいはＩ＆Ｑ信号）およびＲＸ（電力あるいはＩ＆Ｑ信号）は、ベクトルとして格納される。トランスミッタが、続いて工程９０５で任意によりオフとされ、カウンタｉが工程９０６でインクリメントされる。工程９０７でｉの値がＮ未満である場合、工程９０９アンテナはこの新しい設定に切り替えられ、任意により、工程９１０で電源は電源Ｐでオンにされ、続いて工程９０３でサイクルが再び繰り返される。工程９０７で、ｉがＮと等しい場合、アンテナ・スイッチ５００は、最も低い組み合わされたＬＯおよびＲＸのベクトル標準またはｄＢで最も高いリターン・ロスによるアンテナを選択するように構成される。図８に示すようなＣＯＵＰポートに接続される可変インピーダンス・マッチ７２０は、接続するアンテナにインピーダンスをマッチさせるために変更される。スイッチ５００により、複数のアンテナが平行に一体的に接続される場合（対応する負荷が同様に存在する）、最も低い組み合わされたＬＯおよびＲＸのベクトル標準またはｄＢで最も高いリターン・ロスを有するトップのＭアンテナ（Ｍ＜Ｎ）が選択される。トップのＭ要素を一体的に接続することができない場合、スイッチ要素は時間順の方法で切り替えられる。
【００３５】
様々な他の実施形態により、上述したタイプの複数のアンテナ素子および関連する回路および論理フローは、無線通信装置の周囲の環境の様々な態様を特徴付けるために使用することができる（便宜上ここでは接近検知と呼ぶ）。詳細には、送信された高周波信号の一部が方向性結合器（例えば図５の５０５）を介してレシーバおよび潜在的な個別のリターン・パスに対してオブジェクトによって反射されることにより、反射されたエネルギーは、例えばオブジェクト（例えば人の手や腕）の存在または欠如、オブジェクトのタイプ（例えば、金属オブジェクト対体の部分）、装置からオブジェクトの距離、装置に対するオブジェクトの位置（例えば、装置の前面、背面、あるいは側面にあるか）、装置に対するオブジェクトの移動（装置への、あるいは装置から離間する、および／または他の移動）、オブジェクトの配向などを検知するように特徴付けられる。従って、例えば、装置の処理回路は、高周波基準信号を送信し、複数のアンテナの各々から反射した高周波基準信号の少なくとも１つの特性を決定し、装置の少なくとも１つの機能を制御するために決定された特性を処理する（これは装置で作動するアプリケーションの制御を含む）。高周波基準信号は一定（例えば単一の周波数）であっても、可変（例えば異なる周波数のシーケンス）であってもよい。１つ以上の特性は、送信される信号の波形の振幅、ベクター、位相、分散、および／または形状、あるいはひずみなどのものを含む。
【００３６】
上記接近検知のための潜在的な使用の一例として、装置用のユーザ・インターフェースは、ユーザが装置やアプリケーションの要素を制御できるようにそのような接近検知から生成される接近情報を利用する。例えば、図４および図５に示すように、覆われる要素、例えば５３３は、覆われない要素、例えば５３０乃至５３２と比較して、低減されたリターン・ロスを示すであろう。この情報は、例えば、ユーザが装置に物理的に接触するよりも前であっても、ユーザ・インターフェースの相互作用を開始することに使用され、これによりユーザに魔法の体験の印象を生じさせる。リターン・ロスの変化を検知可能な範囲は、モバイル・デバイスとの接触と同様に小さく、数ミリメートルに、数十センチメートルになり得る。装置の処理回路は、タグ・レスポンスを伴わない後方散乱信号の著しい増加が、手や体の一部のようなオブジェクトの存在を示すように実行される。すなわち、保護されたアンテナ素子は、オブジェクト検知に使用される。保護されたアンテナ素子がオブジェクトの配向をイメージするためにさらに使用される。保護されないアンテナ素子は、例えば、ＲＦＩＤタグや他の後方散乱装置とのインターフェースとなるために使用される。例えば、現在、電話は、通常プッシュ方式により最新の電子メールを受信する。この場合、ネットワーク・ソケットは開放され、電子メール・プロバイダからのデータは、新しい電子メールがアカウントに到着するとすぐに送信される。いくつかの電子メールアカウントは、所定の予め定められた間隔で電子メール・サーバのチェックにより電子メールを受信する。これらの方法は、一日を通してモバイル・デバイスのバッテリを相当消耗させ得る。人体が装置に接近することを検知することができることによって、装置を起動し、電子メール・サービスに接続し、装置に電子メールをダウンロードし始めるのに十分な時間が得られ、その結果、ユーザは装置にログインするとすぐに電子メールが準備されて表示される。他の使用において、接近検知は、相互作用（例えばゲームや音楽生成のような）に定量的に使用可能であり、また、装置の位置の検知（例えば異なる材料の異なる反射特性により、装置が保持されているか、ホルスタに位置されるか、テーブル上に位置されるかを）に使用可能である。また、接近検知は、装置の態様を制御するために使用可能であり（例えば、携帯電話が鳴っている場合、ユーザの手が装置に接近すると音量が低減される）、セキュリティ目的に使用可能であり（例えば、２つの通信装置が互いに近いことを確認するか、あるいは人がトランザクションに入ることを確認する）、あるいは他の接近ベースの機能に使用可能である。
【００３７】
特定の実施形態においては、無線通信装置は、人体あるいは人体の一部（例えば手）による接触を検知するためのタッチ・センサを含む。例えば、無線通信装置は静電容量式タッチ・スクリーンや他のタイプの埋め込み型タッチ検知コンポーネントを含む。本実施形態では、無線通信装置は、人体が無線通信装置に接近しているか無線通信装置と接触したかどうかに応じて異なる機能を実行可能である。例えば、ユーザの手が装置に接近すると、鳴っている携帯電話に音量が低減される上記シナリオにおいて、人体が接近していることを検知することで、無線通信装置は、人体との実際の接触を検知すると、鳴動を完全に消音する。別例において、ユーザの手が装置に接近すると、無線通信装置はＷｉ−Ｆｉ接続を活性化し、電子メールをダウンロードし始めるが、一旦人体との実際の接触を検知すると、単に無線通信装置のディスプレイ・スクリーンを照明するのみである。機能のこのような分離により、無線通信装置は、そのリソースを保存し集中させることができ（例えば、電池寿命およびプロセッサ・サイクル）、これにより、異なる機能のパフォーマンスや完了を最大限にすることができる。特定の実施形態においては、無線通信装置は他のセンサを含み、例えば、ユーザが無線通信装置を移動させて（例えば、表面からそれを拾い上げて、ユーザの目の近傍に保持する）把持することを検知するためのタッチ・センサと組み合わせて使用される運動センサ（例えばジャイロスコープまたは加速度計）を含む。本実施形態においては、無線通信装置は付加的な機能を実行可能である。例えば、ユーザが無線通信装置を把持し、これを上方に移動させ、無線通信装置のディスプレイ・スクリーンを上方に傾けるようにこれを配向することを検知すると、無線通信装置は、位置ベースの機能を駆動する（例えばリアルタイムの位置の追跡および地図のルート検索をするためのＧＰＳを駆動する）。
【００３８】
特定の実施形態においては、接近検知は、ソーシャルネットワーキング・システムと組み合わせて、特にユーザに関連付けられたソーシャルグラフと関係する情報と組み合わせて使用可能である。例えば、接近検知は、ソーシャルネットワーキング情報およびコンテンツのダウンロードまたは更新を開始するために使用される。制限ではなく、例として、ユーザのソーシャルグラフのノードに関連付けられたニュースフィード・アイテム、画像、ビデオ、リンク、音楽、通信、アーティクル、あるいはブログ、あるいはこれらの間のつながりである。ユーザのソーシャルグラフにおける他のユーザに関連付けられるものと周知のユーザの装置に対する他の装置の接近により、ソーシャルネットワーキング・コンテンツがダウンロードされる（例えばそれらのユーザと関係するソーシャルネットワーキング・コンテンツ・アイテムの優先順位を付けるダウンロード）方法に影響を与え、あるいは、接近中の装置と同期する機会を提供する（例えば、装置がそれぞれ仮想木琴に関する異なる音符やキーを示すか、装置はそれぞれ、マルチプレイヤーのオンライン・ゲームにおける役割を割り当てられるユーザに関連付けられ、また、他のゲームプレイヤーの近接内にいる場合、装置は「ゲームモード」のみに入り、この時点においてゲーム関連の通知を伝え始める）。別例において、接近検知は、ユーザのソーシャルグラフにおける選択された人々の位置の検索に使用され（例えば、指定された隔たりの次数内のもの）、例えば、第１のユーザが都市の通り上の年中行事で散策していると、そのユーザは同じフェスティバルに同様にいる友達の位置を検索し会うことを所望する。群衆が非常に多い場合、ＧＰＳは十分なレベルの精度を提供することができないが、接近検知を使用することにより、ユーザの装置は、ユーザの装置が友達の装置に接近しつつあることを示す視覚的または聴覚的指標によって示すことができる。
【００３９】
接近検知は、ユーザの位置と組み合わせて装置の機能および要素を制御することにも使用される（例えば、ユーザが指定の「安全な」領域でない位置にいるものと検知される場合、手が装置に接近すると、ソーシャルネットワーキング・コンテンツのダウンロードが開始されるが、コンテンツの表示は、ユーザが認証されるまでブロックされる）。ユーザの即時のロケーションは任意の情報に基づいて決定され、例えば、限定ではなく、例として、ＧＰＳ、形態電話・タワー三角測量、ユーザに関連付けられたロケーションへのチェックイン、周知のロケーションでの特定のワイヤレス・ネットワークに接続しようとするユーザの装置による試み、ＲＦＩＤまたはＮＦＣを介した周知のロケーションでのユーザの装置の検知、ユーザの装置を使用して完了する周知のロケーションでのトランザクション（例えば、レストランでの食事の支払いや劇場での映画のチケットの購買）に基づいて決定される。
【００４０】
１つ以上のＲＦＩＤタグや他の無線通信装置とのインターフェースとなるモバイル・デバイスのための操作・歩行の空間を分離するユーザ・インターフェースを形成する際に、飛行時間ベースの測定は操作・歩行の空間の正確な分離を得るために使用される。例えば、装置の処理回路は、高周波基準信号の送信と、１本以上のアンテナ素子における反射されたエネルギーの受容との間の時間を測定可能である。この時間ベースの情報に基づいて、装置は、例えば、装置に対するオブジェクトの距離および／または位置を決定する（例えば、反射が第２のアンテナ素子と比較して第１のアンテナ素子でより早く受け取られる場合、これを通常到着時差と呼ぶが、オブジェクトは第１のアンテナ素子により近接する可能性が高い）。
【００４１】
図１０は、ソーシャルネットワーキング・システムに関連付けられている例示的なネットワーク環境１０００を示している。ネットワーク環境１０００は、ネットワーク１０１０によって互いにつながっているクライアント・システム１０３０、ソーシャルネットワーキング・システム１０６０、およびサードパーティ・システム１０７０を含む。図１０は、クライアント・システム１０３０、ソーシャルネットワーキング・システム１０６０、サードパーティ・システム１０７０、およびネットワーク１０１０の特定の構成を示しているが、本開示は、クライアント・システム１０３０、ソーシャルネットワーキング・システム１０６０、サードパーティ・システム１０７０、およびネットワーク１０１０の任意の適切な構成を想定している。限定ではなく、例として、クライアント・システム１０３０、ソーシャルネットワーキング・システム１０６０、およびサードパーティ・システム１０７０のうちの複数は、ネットワーク１０１０を迂回して、互いに直接つながることが可能である。別の例として、クライアント・システム１０３０、ソーシャルネットワーキング・システム１０６０、およびサードパーティ・システム１０７０のうちの複数は、物理的にまたは論理的に、全体としてまたは部分的に互いに同一場所に配置されることが可能である。その上、図１０は、特定の数のクライアント・システム１０３０、ソーシャルネットワーキング・システム１０６０、サードパーティ・システム１０７０、およびネットワーク１０１０を示しているが、本開示は、任意の適切な数のクライアント・システム１０３０、ソーシャルネットワーキング・システム１０６０、サードパーティ・システム１０７０、およびネットワーク１０１０を想定している。限定ではなく、例として、ネットワーク環境１０００は、複数のクライアント・システム１０３０、ソーシャルネットワーキング・システム１０６０、サードパーティ・システム１０７０、およびネットワーク１０１０を含むことができる。
【００４２】
本開示は、任意の適切なネットワーク１０１０を想定している。限定ではなく、例として、ネットワーク１０１０の１つまたは複数の部分は、アド・ホック・ネットワーク、イントラネット、エクストラネット、仮想プライベート・ネットワーク（ＶＰＮ）、ローカル・エリア・ネットワーク（ＬＡＮ）、ワイヤレスＬＡＮ（ＷＬＡＮ）、ワイド・エリア・ネットワーク（ＷＡＮ）、ワイヤレスＷＡＮ（ＷＷＡＮ）、メトロポリタン・エリア・ネットワーク（ＭＡＮ）、インターネットの一部分、公衆交換電話網（ＰＳＴＮ）の一部分、セルラー電話ネットワーク、またはこれらのうちの複数の組合せを含むことができる。ネットワーク１０１０は、１つまたは複数のネットワーク１０１０を含むことができる。
【００４３】
リンク１０５０は、クライアント・システム１０３０、ソーシャルネットワーキング・システム１０６０、およびサードパーティ・システム１０７０を通信ネットワーク１０１０に、または互いに接続することができる。本開示は、任意の適切なリンク１０５０を想定している。特定の実施形態においては、１つまたは複数のリンク１０５０は、１つもしくは複数の有線リンク（たとえば、デジタル・サブスクライバ・ライン（ＤＳＬ）もしくはデータ・オーバ・ケーブル・サービス・インターフェース仕様（ＤＯＣＳＩＳ）など）、ワイヤレス・リンク（たとえば、Ｗｉ−Ｆｉもしくはワールドワイド・インターオペラビリティー・フォー・マイクロウェーブ・アクセス（ＷｉＭＡＸ）など）、または光リンク（たとえば、同期光ネットワーク（ＳＯＮＥＴ）もしくは同期デジタル階層（ＳＤＨ）など）を含む。特定の実施形態においては、１つまたは複数のリンク１０５０はそれぞれ、アド・ホック・ネットワーク、イントラネット、エクストラネット、ＶＰＮ、ＬＡＮ、ＷＬＡＮ、ＷＡＮ、ＷＷＡＮ、ＭＡＮ、インターネットの一部分、ＰＳＴＮの一部分、セルラー・テクノロジーベースのネットワーク、衛星通信テクノロジーベースのネットワーク、別のリンク１０５０、または複数のそのようなリンク１０５０の組合せを含む。リンク１０５０は、ネットワーク環境１０００の全体を通じて必ずしも同じである必要はない。１つまたは複数の第１のリンク１０５０は、１つまたは複数の点において１つまたは複数の第２のリンク１０５０とは異なることが可能である。
【００４４】
特定の実施形態においては、クライアント・システム１０３０は、クライアント・システム１０３０によって実装またはサポートされる適切な機能を実行することができる、ハードウェア、ソフトウェア、もしくは組み込みロジック・コンポーネント、または複数のそのようなコンポーネントの組合せを含む電子デバイスであることが可能である。限定ではなく、例として、クライアント・システム１０３０は、デスクトップ・コンピュータ、ノートブック・コンピュータもしくはラップトップ・コンピュータ、ネットブック、タブレット・コンピュータなどのコンピュータ・システム、ｅブック・リーダ、ＧＰＳデバイス、カメラ、携帯情報端末（ＰＤＡ）、ハンドヘルド電子デバイス、セルラー電話、スマートフォン、その他の適切な電子デバイス、またはそれらの任意の適切な組合せを含むことができる。本開示は、任意の適切なクライアント・システム１０３０を想定している。クライアント・システム１０３０は、クライアント・システム１０３０のネットワーク・ユーザがネットワーク１０１０にアクセスすることを可能にすることができる。クライアント・システム１０３０は、自分のユーザがその他のクライアント・システム１０３０のその他のユーザと通信することを可能にすることができる。
【００４５】
特定の実施形態においては、クライアント１０３０は、ＭＩＣＲＯＳＯＦＴ  ＩＮＴＥＲＮＥＴ  ＥＸＰＬＯＲＥＲ、ＧＯＯＧＬＥ  ＣＨＲＯＭＥ、またはＭＯＺＩＬＬＡ  ＦＩＲＥＦＯＸなどのウェブ・ブラウザ１０３２を含むことができ、１つまたは複数のアドオン、プラグイン、またはＴＯＯＬＢＡＲもしくはＹＡＨＯＯ  ＴＯＯＬＢＡＲなどのその他の拡張を有することができる。クライアント・システム１０３０のユーザは、ウェブ・ブラウザ１０３２を特定のサーバ（サーバ１０６２、またはサードパーティ・システム１０７０に関連付けられているサーバなど）へ導くユニフォーム・リソース・ロケータ（ＵＲＬ）またはその他のアドレスを入力することができ、ウェブ・ブラウザ１０３２は、ハイパー・テキスト転送プロトコル（ＨＴＴＰ）要求を生成して、そのＨＴＴＰ要求をサーバに通信することができる。サーバは、そのＨＴＴＰ要求を受け入れて、そのＨＴＴＰ要求に応答して１つまたは複数のハイパー・テキスト・マークアップ言語（ＨＴＭＬ）ファイルをクライアント・システム１０３０に通信することができる。クライアント・システム１０３０は、ユーザに提示するためにサーバからのＨＴＭＬファイルに基づいてウェブページをレンダリングすることができる。本開示は、任意の適切なウェブページ・ファイルを想定している。限定ではなく、例として、ウェブページは、特定のニーズに従って、ＨＴＭＬファイル、拡張可能ハイパー・テキスト・マークアップ言語（ＸＨＴＭＬ）ファイル、または拡張可能マークアップ言語（ＸＭＬ）ファイルからレンダリングすることができる。そのようなページは、限定ではなく、例として、ＪＡＶＡＳＣＲＩＰＴ（登録商標）、ＪＡＶＡ（登録商標）、ＭＩＣＲＯＳＯＦＴ  ＳＩＬＶＥＲＬＩＧＨＴで書かれたスクリプトなどのスクリプト、ＡＪＡＸ（Ａｓｙｎｃｈｒｏｎｏｕｓ  ＪＡＶＡＳＣＲＩＰＴ（登録商標）  ａｎｄ  ＸＭＬ）などのマークアップ言語とスクリプトの組合せなどを実行することもできる。本明細書においては、ウェブページへの参照は、適切な場合には、（そのウェブページをレンダリングするためにブラウザが使用することができる）１つまたは複数の対応するウェブページ・ファイルを含み、その逆もまた同様である。
【００４６】
特定の実施形態においては、ソーシャルネットワーキング・システム１０６０は、オンライン・ソーシャル・ネットワークをホストすることができるネットワークアドレス可能なコンピューティング・システムであることが可能である。ソーシャルネットワーキング・システム１０６０は、たとえば、ユーザプロフィール・データ、コンセプトプロフィール・データ、ソーシャルグラフ情報、またはオンライン・ソーシャル・ネットワークに関連したその他の適切なデータなどのソーシャルネットワーキング・データを生成すること、格納すること、受け取ること、および送信することが可能である。ソーシャルネットワーキング・システム１０６０は、ネットワーク環境１０００のその他のコンポーネントによって直接、またはネットワーク１０１０を介してアクセスされることが可能である。特定の実施形態においては、ソーシャルネットワーキング・システム１０６０は、１つまたは複数のサーバ１０６２を含むことができる。それぞれのサーバ１０６２は、単一のサーバ、または複数のコンピュータもしくは複数のデータセンターにわたる分散サーバであることが可能である。サーバ１０６２は、限定ではなく、例として、ウェブ・サーバ、ニュース・サーバ、メール・サーバ、メッセージ・サーバ、広告サーバ、ファイル・サーバ、アプリケーション・サーバ、Ｅｘｃｈａｎｇｅサーバ、データベース・サーバ、プロキシ・サーバ、本明細書において記述されている機能もしくはプロセスを実行するのに適している別のサーバ、またはそれらの任意の組合せなど、さまざまなタイプのものであることが可能である。特定の実施形態においては、それぞれのサーバ１０６２は、サーバ１０６２によって実装またはサポートされる適切な機能を実行するためのハードウェア、ソフトウェア、もしくは組み込みロジック・コンポーネント、または複数のそのようなコンポーネントの組合せを含むことができる。特定の実施形態においては、ソーシャルネットワーキング・システム１０６４は、１つまたは複数のデータ・ストア１０６４を含むことができる。データ・ストア１０６４は、さまざまなタイプの情報を格納するために使用されることが可能である。特定の実施形態においては、データ・ストア１０６４内に格納されている情報は、特定のデータ構造に従って編成されることが可能である。特定の実施形態においては、それぞれのデータ・ストア１０６４は、リレーショナル・データベース、行のデータベース、相関関係データベース、あるいは他の適切なデータベースであることが可能である。本開示は、特定のタイプのデータベースを記述し、例示するが、本開示においては、任意の適切なタイプのデータベースが考えられる。特定の実施形態は、クライアント・システム１０３０、ソーシャルネットワーキング・システム１０６０、またはサードパーティ・システム１０７０が、データ・ストア１０６４内に格納されている情報を管理すること、取り出すこと、修正すること、追加すること、または削除することを可能にするインターフェースを提供することができる。
【００４７】
特定の実施形態においては、ソーシャルネットワーキング・システム１０６０は、１つまたは複数のソーシャルグラフを１つまたは複数のデータ・ストア１０６４内に格納することができる。特定の実施形態においては、ソーシャルグラフは、複数のノード（複数のユーザ・ノード（それぞれが、特定のユーザに対応している）、または複数のコンセプト・ノード（それぞれが、特定のコンセプトに対応している）を含むことができる）と、ノード同士をつなげる複数のエッジとを含むことができる。ソーシャルネットワーキング・システム１０６０は、オンライン・ソーシャル・ネットワークのユーザに、その他のユーザと通信および対話する能力を提供することができる。特定の実施形態においては、ユーザたちは、ソーシャルネットワーキング・システム１０６０を介してオンライン・ソーシャル・ネットワークに参加し、次いで、自分たちがつながりたいと望むソーシャルネットワーキング・システム１０６０のその他の複数のユーザにつながり（すなわち、関係）を付加することができる。本明細書においては、「友達」という用語は、ユーザがソーシャルネットワーキング・システム１０６０を介して、つながり、関連付け、または関係を形成しているソーシャルネットワーキング・システム１０６０のその他の任意のユーザを指すことができる。
【００４８】
特定の実施形態においては、ソーシャルネットワーキング・システム１０６０は、ソーシャルネットワーキング・システム１０６０によってサポートされるさまざまなタイプのアイテムまたはオブジェクトに関してアクションを取る能力をユーザに提供することができる。限定ではなく、例として、それらのアイテムおよびオブジェクトは、ソーシャルネットワーキング・システム１０６０のユーザが属することが可能であるグループもしくはソーシャル・ネットワーク、ユーザが関心を抱く可能性があるイベントもしくはカレンダー・エントリー、ユーザが使用することができるコンピュータベースのアプリケーション、ユーザがサービスを介してアイテムを購入もしくは販売することを可能にするトランザクション、ユーザが実行することができる広告との対話、またはその他の適切なアイテムもしくはオブジェクトを含むことができる。ユーザは、ソーシャルネットワーキング・システム１０６０において、またはサードパーティ・システム１０７０の外部システム（ソーシャルネットワーキング・システム１０６０とは別個のものであって、ネットワーク１０１０を介してソーシャルネットワーキング・システム１０６０に結合されている）によって表されることが可能である任意のものと対話することができる。
【００４９】
特定の実施形態においては、ソーシャルネットワーキング・システム１０６０は、さまざまなエンティティ同士をリンクできることが可能である。限定ではなく、例として、ソーシャルネットワーキング・システム１０６０は、ユーザたちが互いに対話すること、ならびにサードパーティ・システム１０７０もしくはその他のエンティティからのコンテンツを受け取ることを可能にすることができ、またはユーザたちがアプリケーション・プログラミング・インタフェース（ＡＰＩ）もしくはその他の通信チャネルを通じてこれらのエンティティと対話することを可能にすることができる。
【００５０】
特定の実施形態においては、サードパーティ・システム１０７０は、１つもしくは複数のタイプのサーバ、１つもしくは複数のデータ・ストア、１つもしくは複数のインターフェース（ＡＰＩを含むが、それには限定されない）、１つもしくは複数のウェブ・サービス、１つもしくは複数のコンテンツ・ソース、１つもしくは複数のネットワーク、または（たとえば、サーバが通信することができる）その他の任意の適切なコンポーネントを含むことができる。サードパーティ・システム１０７０は、ソーシャルネットワーキング・システム１０６０を運営しているエンティティとは異なるエンティティによって運営されることが可能である。しかしながら、特定の実施形態においては、ソーシャルネットワーキング・システム１０６０およびサードパーティ・システム１０７０は、ソーシャルネットワーキング・システム１０６０またはサードパーティ・システム１０７０のユーザにソーシャルネットワーキング・サービスを提供するために互いに連携して機能することができる。この意味において、ソーシャルネットワーキング・システム１０６０は、サードパーティ・システム１０７０などのその他のシステムがインターネットを介してソーシャルネットワーキング・サービスおよび機能をユーザに提供するために使用することができるプラットフォーム、またはバックボーンを提供することができる。
【００５１】
特定の実施形態においては、サードパーティ・システム１０７０は、サードパーティ・コンテンツ・オブジェクト・プロバイダを含むことができる。サードパーティ・コンテンツ・オブジェクト・プロバイダは、コンテンツ・オブジェクトの１つまたは複数のソースを含むことができ、それらのソースは、クライアント・システム１０３０に通信されることが可能である。限定ではなく、例として、コンテンツ・オブジェクトは、ユーザにとって関心がある物またはアクティビティに関する情報、たとえば、映画の開始時刻、映画のレビュー、レストランのレビュー、レストランのメニュー、製品の情報およびレビュー、またはその他の適切な情報などを含むことができる。限定ではなく、別の例として、コンテンツ・オブジェクトは、インセンティブ・コンテンツ・オブジェクト、たとえば、クーポン、ディスカウント・チケット、ギフト券、またはその他の適切なインセンティブ・オブジェクトを含むことができる。
【００５２】
特定の実施形態においては、ソーシャルネットワーキング・システム１０６０はまた、ユーザによって生成されたコンテンツ・オブジェクトを含み、それらのコンテンツ・オブジェクトは、ソーシャルネットワーキング・システム１０６０とのユーザの対話を高めることができる。ユーザによって生成されたコンテンツは、ユーザがソーシャルネットワーキング・システム１０６０に付加、アップロード、送信、または「ポスト」することができる任意のものを含むことができる。限定ではなく、例として、ユーザは、クライアント・システム１０３０からソーシャルネットワーキング・システム１０６０へポストを通信する。ポストは、ステータス更新もしくはその他のテキスト・データ、ロケーション情報、写真、ビデオ、リンク、音楽、またはその他の類似したデータもしくはメディアなどのデータを含むことができる。コンテンツは、ニュースフィードまたはストリームなどの「通信チャネル」を通じてサードパーティによってソーシャルネットワーキング・システム１０６０に付加されることも可能である。
【００５３】
特定の実施形態においては、ソーシャルネットワーキング・システム１０６０は、さまざまなサーバ、サブシステム、プログラム、モジュール、ログ、およびデータ・ストアを含むことができる。特定の実施形態においては、ソーシャルネットワーキング・システム１０６０は、ウェブ・サーバ、アクション・ロガー、ＡＰＩ要求サーバ、関連性およびランキング・エンジン、コンテンツ・オブジェクト分類子、通知コントローラ、アクション・ログ、サードパーティ・コンテンツ・オブジェクト露出ログ、推測モジュール、認可／プライバシー・サーバ、検索モジュール、広告ターゲティング・モジュール、ユーザインタフェース・モジュール、ユーザプロフィール・ストア、つながりストア、サードパーティ・コンテンツ・ストア、またはロケーション・ストアのうちの１つまたは複数を含むことができる。ソーシャルネットワーキング・システム１０６０は、適切なコンポーネント、たとえば、ネットワーク・インターフェース、セキュリティー・メカニズム、ロード・バランサ、フェイルオーバ・サーバ、管理およびネットワークオペレーション・コンソール、その他の適切なコンポーネント、またはそれらの任意の適切な組合せを含むこともできる。特定の実施形態においては、ソーシャルネットワーキング・システム１０６０は、ユーザ・プロフィールを格納するための１つまたは複数のユーザプロフィール・ストアを含むことができる。ユーザ・プロフィールは、たとえば、経歴情報、人口統計学的情報、挙動情報、ソーシャルな情報、またはその他のタイプの記述的情報、たとえば、職業経験、学歴、趣味もしくは好み、関心、親近感、またはロケーションを含むことができる。関心情報は、１つまたは複数のカテゴリに関連した関心を含むことができる。カテゴリは、一般的または具体的であることが可能である。限定ではなく、例として、ユーザが、あるブランドの靴に関する記事に対して「いいね！」を表明した場合には、カテゴリは、そのブランド、または「靴」もしくは「衣類」という一般的なカテゴリであることが可能である。ユーザに関するつながり情報を格納するために、つながりストアが使用されることが可能である。つながり情報は、類似のもしくは共通の職業経験、グループ・メンバーシップ、趣味、学歴を有しているか、または何らかの形で関連しているか、もしくは共通の属性を共有しているユーザ同士を示すことができる。つながり情報は、さまざまなユーザおよびコンテンツ（内部および外部の両方）の間におけるユーザ定義のつながりを含むこともできる。ネットワーク１０１０を介してソーシャルネットワーキング・システム１０６０を１つもしくは複数のクライアント・システム１０３０または１つもしくは複数のサードパーティ・システム１０７０にリンクさせるために、ウェブ・サーバが使用されることが可能である。ウェブ・サーバは、ソーシャルネットワーキング・システム１０６０と、１つまたは複数のクライアント・システム１０３０との間においてメッセージを受け取って回送するためにメール・サーバまたはその他のメッセージング機能を含むことができる。ＡＰＩ要求サーバは、サードパーティ・システム１０７０が、１つまたは複数のＡＰＩを呼び出すことによってソーシャルネットワーキング・システム１０６０からの情報にアクセスすることを可能にすることができる。ソーシャルネットワーキング・システム１０６０の上のまたは外のユーザのアクションに関してウェブ・サーバから通信を受け取るために、アクション・ロガーが使用されることが可能である。アクション・ログとともに、サードパーティコンテンツ・オブジェクトへのユーザの露出についてのサードパーティコンテンツオブジェクト・ログが保持されることが可能である。通知コントローラは、コンテンツ・オブジェクトに関する情報をクライアント・システム１０３０に提供することができる。情報は、通知としてクライアント・システム１０３０へ押し出されることが可能であり、または情報は、クライアント・システム１０３０から受け取られた要求に応答してクライアント・システム１０３０から引き出されることが可能である。ソーシャルネットワーキング・システム１０６０のユーザの１つまたは複数のプライバシー設定を実施するために、認可サーバが使用されることが可能である。ユーザのプライバシー設定は、ユーザに関連付けられている特定の情報がどのように共有されることが可能であるかを特定する。認可サーバは、ユーザが、たとえば、適切なプライバシー設定を設定することなどによって、自分のアクションをソーシャルネットワーキング・システム１０６０によって記録されること、またはその他のシステム（たとえば、サードパーティ・システム１０７０）と共有されることのオプトインまたはオプトアウトを行うことを可能にすることができる。サードパーティ・システム１０７０などのサードパーティから受け取られたコンテンツ・オブジェクトを格納するために、サードパーティコンテンツオブジェクト・ストアが使用されることが可能である。ユーザに関連付けられているクライアント・システム１０３０から受け取られたロケーション情報を格納するために、ロケーション・ストアが使用されることが可能である。広告価格設定モジュールが、ソーシャルな情報、現在時刻、ロケーション情報、またはその他の適切な情報を組み合わせて、関連がある広告を、通知の形式でユーザに提供することができる。
【００５４】
図１１は、例示的なソーシャルグラフ１１００を示している。特定の実施形態においては、ソーシャルネットワーキング・システム１０６０は、１つまたは複数のソーシャルグラフ１１００を１つまたは複数のデータ・ストア内に格納することができる。特定の実施形態においては、ソーシャルグラフ１１００は、複数のノード（複数のユーザ・ノード１１０２、または複数のコンセプト・ノード１１０４を含むことができる）と、ノード同士をつなげる複数のエッジ１１０６とを含むことができる。図１１において示されている例示的なソーシャルグラフ１１００は、教示上の目的から、２次元のビジュアル・マップ表示で示されている。特定の実施形態においては、ソーシャルネットワーキング・システム１０６０、クライアント・システム１０３０、またはサードパーティ・システム１０７０は、適切なアプリケーションに関してソーシャルグラフ１１００および関連したソーシャルグラフ情報にアクセスすることができる。ソーシャルグラフ１１００のノードおよびエッジは、データ・オブジェクトとして、たとえば（ソーシャルグラフ・データベースなどの）データ・ストア内に格納されることが可能である。そのようなデータ・ストアは、ソーシャルグラフ１１００のノードまたはエッジの１つまたは複数の検索可能なまたはクエリ可能なインデックスを含むことができる。
【００５５】
特定の実施形態においては、ユーザ・ノード１１０２は、ソーシャルネットワーキング・システム１０６０のユーザに対応することができる。限定ではなく、例として、ユーザは、ソーシャルネットワーキング・システム１０６０と、またはソーシャルネットワーキング・システム１０６０を介して対話または通信する個人（人間のユーザ）、エンティティ（たとえば、企業、ビジネス、もしくはサードパーティ・アプリケーション）、または（たとえば、個人もしくはエンティティの）グループであることが可能である。特定の実施形態においては、あるユーザがソーシャルネットワーキング・システム１０６０とのアカウントに登録した場合には、ソーシャルネットワーキング・システム１０６０は、そのユーザに対応するユーザ・ノード１１０２を作成し、そのユーザ・ノード１１０２を１つまたは複数のデータ・ストア内に格納することができる。本明細書において記述されているユーザおよびユーザ・ノード１１０２は、適切な場合には、登録されているユーザ、および登録されているユーザに関連付けられているユーザ・ノード１１０２を指すことができる。追加として、または代替として、本明細書において記述されているユーザおよびユーザ・ノード１１０２は、適切な場合には、ソーシャルネットワーキング・システム１０６０に登録されていないユーザを指すことができる。特定の実施形態においては、ユーザ・ノード１１０２は、ユーザによって提供された情報、またはソーシャルネットワーキング・システム１０６０を含むさまざまなシステムによって収集された情報に関連付けられることが可能である。限定ではなく、例として、ユーザは、自分の名前、プロフィール画像、連絡先情報、生年月日、性別、婚姻状況、家族状況、勤務先、学歴、好み、関心、またはその他の人口統計学的情報を提供することができる。特定の実施形態においては、ユーザ・ノード１１０２は、ユーザに関連付けられている情報に対応する１つまたは複数のデータ・オブジェクトに関連付けられることが可能である。特定の実施形態においては、ユーザ・ノード１１０２は、１つまたは複数のウェブページに対応することができる。
【００５６】
特定の実施形態においては、コンセプト・ノード１１０４は、コンセプトに対応することができる。限定ではなく、例として、コンセプトは、場所（たとえば、映画館、レストラン、ランドマーク、もしくは都市など）、ウェブサイト（たとえば、ソーシャルネットワーク・システム１０６０に関連付けられているウェブサイト、もしくはウェブアプリケーション・サーバに関連付けられているサードパーティ・ウェブサイトなど）、エンティティ（たとえば、人、企業、グループ、スポーツ・チーム、もしくは有名人など）、ソーシャルネットワーキング・システム１０６０内に、もしくはウェブアプリケーション・サーバなどの外部サーバ上に配置されることが可能であるリソース（たとえば、オーディオ・ファイル、ビデオ・ファイル、デジタル写真、テキスト・ファイル、構造化されたドキュメント、もしくはアプリケーションなど）、物的もしくは知的財産（たとえば、彫塑、絵画、映画、ゲーム、曲、アイディア、写真、もしくは執筆作品など）、ゲーム、アクティビティ、アイディアもしくは理論、別の適切なコンセプト、または複数のそのようなコンセプトに対応することができる。コンセプト・ノード１１０４は、ユーザによって提供されたコンセプトの情報、またはソーシャルネットワーキング・システム１０６０を含むさまざまなシステムによって収集された情報に関連付けられることが可能である。限定ではなく、例として、コンセプトの情報は、名前もしくはタイトル、１つもしくは複数のイメージ（たとえば、本の表紙のイメージ）、ロケーション（たとえば、住所もしくは地理的ロケーション）、（ＵＲＬに関連付けられることが可能である）ウェブサイト、連絡先情報（たとえば、電話番号もしくはＥメール・アドレス）、その他の適切なコンセプト情報、またはそのような情報の任意の適切な組合せを含むことができる。特定の実施形態においては、コンセプト・ノード１１０４は、コンセプト・ノード１１０４に関連付けられている情報に対応する１つまたは複数のデータ・オブジェクトに関連付けられることが可能である。特定の実施形態においては、コンセプト・ノード１１０４は、１つまたは複数のウェブページに対応することができる。
【００５７】
特定の実施形態においては、ソーシャルグラフ１１００内のノードは、ウェブページ（「プロフィール・ページ」と呼ばれる場合もある）を表すこと、またはウェブページによって表されることが可能である。プロフィール・ページは、ソーシャルネットワーキング・システム１０６０によってホストされること、またはソーシャルネットワーキング・システム１０６０にとってアクセス可能であることが可能である。プロフィール・ページは、サードパーティ・サーバ１０７０に関連付けられているサードパーティ・ウェブサイト上にホストされることも可能である。限定ではなく、例として、特定の外部ウェブページに対応するプロフィール・ページは、その特定の外部ウェブページであることが可能であり、そのプロフィール・ページは、特定のコンセプト・ノード１１０４に対応することができる。プロフィール・ページは、その他のユーザのうちのすべてまたは選択されたサブセットによって閲覧できることが可能である。限定ではなく、例として、ユーザ・ノード１１０２は、対応するユーザ・プロフィール・ページを有することができ、そのユーザ・プロフィール・ページにおいては、対応するユーザが、コンテンツを付加すること、言明を行うこと、またはその他の形で自分自身を表現することが可能である。限定ではなく、別の例として、コンセプト・ノード１１０４は、対応するコンセプトプロフィール・ページを有することができ、そのコンセプトプロフィール・ページにおいては、１人または複数のユーザが、特にコンセプト・ノード１１０４に対応するコンセプトに関連して、コンテンツを付加すること、言明を行うこと、または自分自身を表現することが可能である。
【００５８】
特定の実施形態においては、コンセプト・ノード１１０４は、サードパーティ・システム１０７０によってホストされているサードパーティ・ウェブページまたはリソースを表すことができる。サードパーティ・ウェブページまたはリソースは、数ある要素の中でも、コンテンツ、選択可能なもしくはその他のアイコン、または、アクションもしくはアクティビティを表す（たとえば、ＪＡＶＡＳＣＲＩＰＴ（登録商標）、ＡＪＡＸ、もしくはＰＨＰコードで実装されることが可能である）その他の対話可能なオブジェクトを含むことができる。限定ではなく、例として、サードパーティ・ウェブページは、「いいね！」、「チェックイン」、「食べる」、「推奨する」、または別の適切なアクションもしくはアクティビティなどの選択可能なアイコンを含むことができる。サードパーティ・ウェブページを閲覧しているユーザは、それらのアイコンのうちの１つ（たとえば、「食べる」）を選択することによってアクションを実行して、クライアント・システム１０３０に、そのユーザのアクションを示すメッセージをソーシャルネットワーキング・システム１０６０へ送信させることができる。そのメッセージに応答して、ソーシャルネットワーキング・システム１０６０は、ユーザに対応するユーザ・ノード１１０２と、サードパーティ・ウェブページまたはリソースに対応するコンセプト・ノード１１０４との間においてエッジ（たとえば、「食べる」エッジ）を作成して、エッジ１１０６を１つまたは複数のデータ・ストア内に格納することができる。
【００５９】
特定の実施形態においては、ソーシャルグラフ１１００内の１対のノードが、１つまたは複数のエッジ１１０６によって互いにつながることが可能である。１対のノードをつなげるエッジ１１０６は、それらの１対のノードの間における関係を表すことができる。特定の実施形態においては、エッジ１１０６は、１対のノードの間における関係に対応する１つまたは複数のデータ・オブジェクトまたは属性を含むことまたは表すことが可能である。限定ではなく、例として、第１のユーザは、第２のユーザが第１のユーザの「友達」であるということを示すことができる。この表示に応答して、ソーシャルネットワーキング・システム１０６０は、「友達要求」を第２のユーザに送信することができる。第２のユーザがその「友達要求」を承認した場合には、ソーシャルネットワーキング・システム１０６０は、ソーシャルグラフ１１００内で第１のユーザのユーザ・ノード１１０２を第２のユーザのユーザ・ノード１１０２につなげるエッジ１１０６を作成して、エッジ１１０６をソーシャルグラフ情報としてデータ・ストア１０６４のうちの１つまたは複数の中に格納することができる。図１１の例においては、ソーシャルグラフ１１００は、ユーザ「Ａ」のユーザ・ノード１１０２と、ユーザ「Ｂ」のユーザ・ノード１１０２との間における友達関係を示すエッジ１１０６と、ユーザ「Ｃ」のユーザ・ノード１１０２と、ユーザ「Ｂ」のユーザ・ノード１１０２との間における友達関係を示すエッジとを含む。本開示は、特定のユーザ・ノード１１０２同士をつなげる特定の属性を伴う特定のエッジ１１０６を記述している、または示しているが、本開示は、ユーザ・ノード１１０２同士をつなげる任意の適切な属性を伴う任意の適切なエッジ１１０６を想定している。限定ではなく、例として、エッジ１１０６は、友達関係、家族関係、ビジネスもしくは雇用関係、ファン関係、フォロワー関係、ビジター関係、サブスクライバ関係、上下関係、互恵的関係、非互恵的関係、別の適切なタイプの関係、または複数のそのような関係を表すことができる。その上、本開示は一般に、ノード同士をつながっているものとして記述しているが、本開示はまた、ユーザ同士またはコンセプト同士をつながっているものとして記述している。本明細書においては、つながっているユーザ同士またはコンセプト同士への言及は、適切な場合には、１つまたは複数のエッジ１１０６によってソーシャルグラフ１１００内でつながっているそれらのユーザ同士またはコンセプト同士に対応するノード同士を指すことができる。
【００６０】
特定の実施形態においては、ユーザ・ノード１１０２とコンセプト・ノード１１０４との間におけるエッジ１１０６は、ユーザ・ノード１１０２に関連付けられているユーザによって、コンセプト・ノード１１０４に関連付けられているコンセプトに対して実行された特定のアクションまたはアクティビティを表すことができる。限定ではなく、例として、図１１において示されているように、ユーザは、コンセプトに対して「いいね！を表明すること」、「通うこと」、「プレイすること」、「聴くこと」、「料理すること」、「勤務すること」、または「観ること」を行った可能性があり、それらのそれぞれは、エッジタイプまたはサブタイプに対応することができる。コンセプト・ノード１１０４に対応するコンセプトプロフィール・ページは、たとえば、選択可能な「チェックイン」アイコン（たとえば、クリック可能な「チェックイン」アイコンなど）、または選択可能な「お気に入りに追加」アイコンを含むことができる。同様に、ユーザがこれらのアイコンをクリックした後に、ソーシャルネットワーキング・システム１０６０は、それぞれのアクションに対応するユーザのアクションに応答して「お気に入り」エッジまたは「チェックイン」エッジを作成することができる。限定ではなく、別の例として、あるユーザ（ユーザ「Ｃ」）が、特定のアプリケーション（オンライン音楽アプリケーションであるＳＰＯＴＩＦＹ）を使用して特定の曲（「ランブル・オン」）を聴く場合がある。このケースにおいては、ソーシャルネットワーキング・システム１０６０は、そのユーザに対応するユーザ・ノード１１０２と、その曲およびアプリケーションに対応するコンセプト・ノード１１０４との間において、（図１１に示されているような）「聴いた」エッジ１１０６および「使用した」エッジを作成して、そのユーザがその曲を聴いてそのアプリケーションを使用したということを示すことができる。その上、ソーシャルネットワーキング・システム１０６０は、その曲に対応するコンセプト・ノード１１０４と、そのアプリケーションに対応するコンセプト・ノード１１０４との間において、（図１１に示されているような）「再生した」エッジ１１０６を作成して、その特定の曲がその特定のアプリケーションによって再生されたということを示すことができる。このケースにおいては、「再生した」エッジ１１０６は、外部アプリケーション（ＳＰＯＴＩＦＹ）によって外部オーディオ・ファイル（「イマジン」という曲）に関して実行されたアクションに対応する。本開示は、ユーザ・ノード１１０２とコンセプト・ノード１１０４とをつなげる特定の属性を伴う特定のエッジ１１０６について記述しているが、本開示は、ユーザ・ノード１１０２とコンセプト・ノード１１０４とをつなげる任意の適切な属性を伴う任意の適切なエッジ１１０６を想定している。その上、本開示は、単一の関係を表すユーザ・ノード１１０２とコンセプト・ノード１１０４との間におけるエッジについて記述しているが、本開示は、１つまたは複数の関係を表すユーザ・ノード１１０２とコンセプト・ノード１１０４との間におけるエッジを想定している。限定ではなく、例として、エッジ１１０６は、ユーザが特定のコンセプトに対して「いいね！」を表明しているということ、およびその特定のコンセプトを使用したということの両方を表すことができる。あるいは、別のエッジ１１０６は、（図１１において、ユーザ「Ｅ」を表すユーザ・ノード１１０２と、「ＳＰＯＴＩＦＹ」を表すコンセプト・ノード１１０４との間において示されているような）ユーザ・ノード１１０２とコンセプト・ノード１１０４との間におけるそれぞれのタイプの関係（または、単一の関係が複数集まったもの）を表すことができる。
【００６１】
特定の実施形態においては、ソーシャルネットワーキング・システム１０６０は、ソーシャルグラフ１１００内でユーザ・ノード１１０２とコンセプト・ノード１１０４との間においてエッジ１１０６を作成することができる。限定ではなく、例として、（たとえば、ユーザのクライアント・システム１０３０によってホストされているウェブ・ブラウザまたは専用のアプリケーションを使用することなどによって）コンセプトプロフィール・ページを閲覧しているユーザは、「いいね！」アイコンをクリックまたは選択することにより、コンセプト・ノード１１０４によって表されているコンセプトを自分が気に入っているということを示すことができ、その「いいね！」アイコンをクリックまたは選択することは、ユーザのクライアント・システム１０３０に、そのコンセプトプロフィール・ページに関連付けられているそのコンセプトをそのユーザが気に入っているということを示すメッセージをソーシャルネットワーキング・システム１０６０へ送信させることができる。そのメッセージに応答して、ソーシャルネットワーキング・システム１０６０は、そのユーザとコンセプト・ノード１１０４との間における「いいね！」エッジ１１０６によって示されているように、そのユーザに関連付けられているユーザ・ノード１１０２とコンセプト・ノード１１０４との間においてエッジ１１０６を作成することができる。特定の実施形態においては、ソーシャルネットワーキング・システム１０６０は、エッジ１１０６を１つまたは複数のデータ・ストア内に格納することができる。特定の実施形態においては、エッジ１１０６は、特定のユーザ・アクションに応答してソーシャルネットワーキング・システム１０６０によって自動的に形成されることが可能である。限定ではなく、例として、第１のユーザが、画像をアップロードすること、映画を観ること、または曲を聴くことを行った場合には、エッジ１１０６は、第１のユーザに対応するユーザ・ノード１１０２と、それらのコンセプトに対応するコンセプト・ノード１１０４との間において形成されることが可能である。本開示は、特定の様式で特定のエッジ１１０６を形成することについて記述しているが、本開示は、任意の適切な様式で任意の適切なエッジ１１０６を形成することを想定している。
【００６２】
特定の実施形態においては、広告は、テキスト（ＨＴＭＬリンクされる）、１つ以上のイメージ（ＨＴＭＬリンクされる）、１つ以上のビデオ、オーディオ、１つ以上のアドビ・フラッシュファイル、これらの適切な組み合わせ、あるいは１つ以上のウェブページ上に、１通以上の電子メールに示される、あるいはユーザによって要求された検索結果に関する任意の適切なデジタル形式の任意の他の適切な広告である。付加的に、あるいはこれに代えて、広告は、１つ以上のスンポンサード・ストーリ（例えばソーシャルネットワーキング・システム１０６０上のニュース・フィードあるいはティッカー・アイテム）である。スポンサード・ストーリは、ユーザによるソーシャル・アクションである（例えば、ページを「いいね！」し、ページで「いいね！」するかコメントし、ページに関連付けられたイベントに回答を促し（ＲＳＶＰｉｎｇ）、ページに投稿された質問に投票し、場所にチェックインし、アプリケーションを使用するか、ゲームをプレイし、あるいはウェブサイトを「いいね！」するか共有する）。広告主は、例えば、ユーザのプロフィール・ページあるいは他のページの予め定められた領域内で示されたソーシャル・アクションを、広告主に関連付けられた付加的な情報とともに示し、他のユーザのニュース・フィードやティッカー内で立体表示するか強調表示し、あるいは他の方法で促進することにより促進する。広告主はソーシャル・アクションを促進するために支払いをする。ソーシャル・アクションはソーシャルネットワーキング・システム１０６０内で、あるいはそのシステム上で促進される。付加的に、あるいはこれに代えて、ソーシャル・アクションは、適切な場合ソーシャルネットワーキング・システム１０６０の外部で、あるいはこれから離れて促進されてもよい。特定の実施形態においては、ページは、ストーリを共有するとともに人々をつなぐことを促進するビジネス、組織、あるいは商標のオンラインの存在（ソーシャルネットワーキング・システム１０６０内の、あるいはシステムの外側のウェブページやウェブサイトなど）である。ページは、例えばアプリケーションを付加し、ストーリをポスティングし、イベントをホスティングすることによりカスタマイズされる。
【００６３】
スンポンサード・ストーリは、ユーザのニュース・フィードにおけるストーリから生成され、ソーシャルネットワーキング・システム１０６０と関連付けられたウェブページを見る際に、ユーザのウェブ・ブラウザの表示内の特定の領域に促進される。スンポンサード・ストーリは、ユーザによって見られる可能性が高い。この少なくとも部分的な理由として、スンポンサード・ストーリが通常ユーザの友達、ファン・ページや、他のつながりによる交流や示唆を含むことが挙げられる。スンポンサード・ストーリに関して、特定の実施形態は、２０１１年１２月１５日に出願され、発明の名称が「オーガニック・アクティビティ・ストリームからのスンポンサード・ストーリ・ユニット生成」である米国特許出願第１３／３２７５５７号明細書、２０１２年２月３日に米国特許出願第１３／０２０７４５号として出願され、発明の名称が「オーガニック・アクティビティ・ストリームからのスンポンサード・ストーリ・ユニット生成」である米国特許出願公開第２０１２／０２０３８３１号明細書、あるいは２０１１年３月９日に米国特許出願第１３／０４４５０６号として出願され、発明の名称が「スンポンサード・ストーリのための承認申請」である米国特許出願公開第２０１２／０２３３００９号明細書に開示される１つ以上のシステム、コンポーネント、要素、機能、方法、作動、あるいは工程を利用する。これらの明細書は制限ではなく例として、その全体がここに開示されたものとする。特定の実施形態においては、スポンサード・ストーリは、２０１１年８月１８日に出願され、発明の名称が「スンポンサード・ストーリのためのコンピュータ・ビジョン・コンテンツ検知」である米国特許出願第１３／２１２３５６号明細書に開示されるような、広告主への明示的なつながりを欠く、アップロードされたイメージあるいは写真の製品を発見するためのコンピュータ・ビジョン・アルゴリズムを利用する。明細書は限定ではなく例としてその全体がここに開示されたものとする。
【００６４】
上述したように、広告は、テキスト（ＨＴＭＬリンク付けされる）、１つ以上の画像（ＨＴＭＬリンク付けされる）、１つ以上のビデオ、オーディオ、１つ以上のアドビ・フラッシュファイル、これらの適切な組み合わせ、あるいは任意の適切なデジタル形式における任意の他の適切な広告である。特定の実施形態においては、広告は、サードパーティ・ウェブページ、ソーシャルネットワーキング・システム・ウェブ・ページ、あるいは他のページ内に表示されるように要求される。広告は、例えばページのトップのバナー領域に、ページの側部の欄に、ページのＧＵＩに、ポップアップ・ウィンドウに、ページのコンテンツのトップ上に、あるいはページに対する他の位置などの、ページの専用部分に表示される。付加的に、あるいはこれに代えて、広告はアプリケーション、あるいはゲーム内に表示されてもよい。広告は、専用ページ内に表示され、ユーザがページにアクセスするかアプリケーションを利用するか、ゲームをプレイするに先だって、広告と対話するか広告を見ることをユーザに要求する。ユーザは、例えばウェブ・ブラウザを介して広告を見る。
【００６５】
ユーザは任意の適切な方法で広告と対話する。ユーザは広告をクリックするか選択し、広告は広告に関連付けられたページにユーザ（あるいはユーザによって使用されるブラウザまたは他のアプリケーション）を案内する。広告に関連付けられたページでは、ユーザは、広告に関連付けられた製品やサービスの購入、広告に関連付けられた情報の受信、あるいは広告に関連付けられたニュースレターの購読などの付加的なアクションを行う。オーディオまたはビデオを備えた広告は、広告のコンポーネント（「再生ボタン」のような）を選択することにより再生される。特定の実施形態においては、広告は１つ以上のゲームを含み、ユーザや他のアプリケーションは広告に関してプレイする。広告は広告における投票や質問に応答するための機能を含む。
【００６６】
広告は、ユーザが対話するソーシャルネットワーキング・システムの機能を含む。例えば、ユーザは広告によって「いいね！」するか、あるいは支持に関連付けられたアイコンやリンクを選択することにより、広告を支持することができる。同様に、ユーザは、広告に関連付けられたイベントを、別のユーザ（例えばソーシャルネットワーキング・システム１０６０を介して）あるいはＲＳＶＰ（例えばソーシャルネットワーキング・システム１６０を介して）と広告を共有する。付加的に、あるいはこれに代えて、広告は、ユーザに向けられたソーシャルネットワーキング・システム・コンテキストを含んでいてもよい。例えば、広告は、広告の主題に関連付けられたアクションを行った、ソーシャルネットワーキング・システム１０６０内のユーザの友達に関する情報を表示する。
【００６７】
ソーシャルネットワーキング・システムの機能やコンテキストは、任意の適切な方法で広告に関連付けられる。例えば、広告システム（広告に対する試みを受け取るとともに応答して広告を選択するためのハードウェア、ソフトウェア、あるいはその両者を含む）は、ソーシャルネットワーキング・システム１０６０からソーシャルネットワーキング機能あるいはコンテキストを検索し、ユーザに広告を供給する前に広告に検索されたソーシャルネットワーキング機能やコンテキストを組み込む。広告を備えたソーシャルネットワーキング・システム機能あるいはコンテキストを選択し提供する例は、２０１０年１０月５日に米国特許出願第１２／８９８６６２号として出願され、発明の名称が「ソーシャル支持へのオンライン広告の供給」である米国特許出願公開第２０１２／００８４１６０号明細書、および２０１１年３月８日に米国特許出願第１３／０４３４２４号として出願され、発明の名称が「閲覧ユーザ広告を表示するためのソーシャル支持情報の選択」である米国特許出願公開第２０１２／０２３２９９８号明細書に開示され、これらは限定ではなく例としてその全体がここに開示されたものとする。ソーシャルネットワーキング・システム機能あるいはコンテキストに関連付けられる広告と対話することにより、交流に関する情報が、ソーシャルネットワーキング・システム１０６０のユーザのプロフィール・ページに表示される。
【００６８】
特定の実施形態は、広告がより関連するかより有用であると分かる可能性が高い、ユーザへの広告の配布を促進する。例えば、広告主は、広告がより関連するかより有用であると分かる可能性が高いユーザを識別し対象とすることにより、より高いコンバージョンレート（およびこれによる広告からのより高い投資効率（ＲＯＩ））が得られる。広告主は、それらのユーザを識別するためにソーシャルネットワーキング・システム１０６０におけるユーザ・プロフィール情報を使用する。付加的に、あるいはこれに代えて、ソーシャルネットワーキング・システム１０６０が、広告主のためにそれらのユーザを識別するべくソーシャルネットワーキング・システム１０６０におけるユーザ・プロフィール情報を使用してもよい。限定ではなく、例として、特定の実施形態は、イベントの招待あるいは提案、クーポン、取引、あるいはウィッシュ・リストアイテムに関する提案、友達のライフイベントに関する提案、グループに関する提案、広告、あるいは社会広告を備えるユーザを対象とする。そのように対象とすることは、場合に応じて、ソーシャルネットワーキング・システム１０６０上で、あるいはそのシステム内で、あるいはソーシャルネットワーキング・システム１０６０から離れて、あるいはそのシステムの外部で、あるいはユーザのモバイル・コンピューティング・デバイス上で行われる。ソーシャルネットワーキング・システム１０６０上で、あるいはそのシステム内では、そのように対象とすることは、ユーザのニュース・フィード、検索結果、電子メール受信箱あるいは他の受信箱、通知チャンネルに向けられるか、ソーシャルネットワーキング・システム１０６０のウェブページの特定の領域、例えば、コンシェルジュやグループ・メンバー領域のウェブページ（同じコンセプト、ノード、あるいはオブジェクトに関連付けられた、右側レールの広告に沿ったグループ）、あるいは、ネットワーク分身領域（ユーザがウェブページ上の何を閲覧しているか、およびユーザの現在のニュース・フィードに基づく）に現れる。ソーシャルネットワーキング・システム１０６０から離れ、あるいはシステムの外部の場合、そのように対象とすることは、サードパーティ・ウェブサイトを通して提供され、例えば、広告交換あるいはソーシャル・プラグ・インを含む。ユーザのモバイル・コンピューティング・デバイス上の場合、そのように対象とすることは、モバイル・コンピューティング・デバイスにプッシュ通知によって提供される。
【００６９】
ユーザを識別し対象とすることに使用される対象の基準は、ソーシャルネットワーキング・システム１０６０上の明示的なユーザの関心、あるいはソーシャルネットワーキング・システム１０６０上のノード、オブジェクト、エンティティ、商標、あるいはページに対するユーザの明示的なつながりを含む。付加的に、あるいはこれに代えて、そのような対象の基準は、暗黙、あるいは推論されるユーザの関心やつながりを含む（ユーザの履歴、人口学的アクティビティ、ソーシャル・アクティビティ、あるいは他のアクティビティ、友達のソーシャル・アクティビティや他のアクティビティ、購読、あるいはユーザに類似する他のユーザの上記のうち任意のもの（例えば、共有される関心、つながりやイベントに基づく）を分析することを含む）。特定の実施形態はプラットフォームを対象とすることを利用し、これはプラットフォームおよび「いいね！」の印象データ、文脈上の信号（例えば、「ＣＯＣＡ−ＣＯＬＡのページを誰が今見ているか、あるいは、最近見たか。」）、軽いつながり（例えば「チェックイン」）、接続類似性、ファン、抽出されたキーワード、ＥＭＵ広告、推論される広告、係数、類似性、あるいは他のソーシャルグラフの情報、友達の友達のつながり、ピンで留めや応援、取引、投票、家計収入、ソーシャル・クラスタやグループ、イメージあるいは他のメディアに検知された製品、ソーシャルグラフあるいはオープン・グラフ・エッジ・タイプ、地理予測、プロフィールまたはページのビュー、ステータス更新あるいは他のユーザによる投稿（この分析は自然言語処理あるいはキーワード抽出を含む）、イベント情報、あるいはコラボラティブ・フィルタリングを含む。場合に応じて、ユーザを識別し対象とすることはさらにプライバシー設定（ユーザ・オプトアウトなど）、データ・ハッシング、あるいはデータ変名化を含む。
【００７０】
広告によりユーザを対象とするために、特定の実施形態は、２００８年８月１８日に米国特許出願第１２／１９３７０２号として出願され、発明の名称が「ソーシャルネットワーキング・ウェブサイト上の社会広告および他の情報メッセージ並びにこれらの広告モデル」である米国特許出願公開第２００９／０１１９１６７号明細書、２００８年８月２０日に米国特許出願第１２／１９５３２１号として出願され発明の名称が「ソーシャル・ネットワークにおける対象とする広告」である米国特許出願公開第２００９／００７０２１９号明細書、２０１０年１２月１５日に米国特許出願第１２／９６８７８６号として出願され発明の名称が「広告に関連付けられたオブジェクトと対話したユーザの友達を対象とするソーシャル広告」である米国特許出願公開第２０１２／０１５８５０１号明細書、あるいは２０１０年１２月２３日に米国特許出願第１２／９７８２６５号として出願され発明の名称が「ソーシャルネットワーキング・システムにおける文脈に関連する類似性予測」である米国特許出願公開第２０１２／０１６６５３２号明細書に開示される１つ以上のシステム、コンポーネント、要素、機能、方法、作動、あるいは工程を利用する。これらの明細書はすべて限定ではなく、例としてその全体がここに開示されたものとする。
【００７１】
広告は、ウェブ・ブラウザあるいは他のアプリケーションのためのプラグ・イン、フレーム要素、ニュース・フィード、ティッカー、通知（例えば、電子メール、ショート・メッセージ・サービス（ＳＭＳ）メッセージ、あるいは通知を含む）、あるいは他の手段を使用して、提示乃至配布される。広告は、ユーザのモバイルまたは他のコンピューティング・デバイス上でユーザに提示乃至配布される。広告の配布に関して、特定の実施形態は、２０１０年１２月１５日に米国特許出願第１２／９６９３６８号として出願され発明の名称が「サードパーティ・システム用のコメント・プラグ・イン」である米国特許出願公開第２０１２／０１５９６３５号明細書、２０１０年１２月１５日に米国特許出願第１２／９６９４０８号として出願され発明の名称が「コメント・オーダリング・システム」である米国特許出願公開第２０１２／０１５８７５３号明細書、２００６年８月１１日に米国特許出願第１１／５０３２４２号として出願され発明の名称が「ソーシャル・ネットワークのユーザに関するニュース・フィードの動的提供」である米国特許第７６６９１２３号明細書、２００６年８月１１日に米国特許出願第１１／５０３０９３号として出願され発明の名称が「ソーシャル・ネットワーク環境におけるユーザ類似性に基づくニュース・フィードの提供」である米国特許出願公開第２００８／００４０４７５号明細書、２０１０年９月１６日に米国特許出願第１２／８８４０１０号として出願され発明の名称が「ニュース・フィードのためのアクションのクラスタリング」である米国特許出願公開第２０１２／００７２４２８号明細書、２００９年７月１日に米国特許出願第１２／４９６６０６号明細書として出願され発明の名称が「ソーシャルネットワーキング・サービスにおけるつながりに関する情報収集」である米国特許出願公開第２００１／０００４６９２号明細書、２００６年９月１２日に米国特許出願第１１／５３１１５４号として出願され発明の名称が「オンライン・ソーシャル・ネットワークにおけるユーザ・コンテンツに対する変更を追跡する方法およびシステム」である米国特許出願公開第２００８／００６５７０１号明細書、２００７年１月１７日に米国特許出願第１１／６２４０８８号として出願され発明の名称が「外部ソースからのオンライン・ソーシャル・ネットワークのユーザのページのランディングに対する更新供給」である米国特許出願公開第２００８／００６５６０４号明細書、２０１０年４月１９日に米国特許出願第１２／７６３１７１号として出願され発明の名称が「統合ソーシャル・ネットワーク環境」である米国特許第８２４４８４８号明細書、２００９年１０月６日に米国特許出願第１２／５７４６１４号として出願され発明の名称が「ソーシャルネットワーキング・サービスにおける位置ベースのコンテンツ・アイテムの共有」である米国特許出願公開第２０１１／００８３１０１号明細書、２０１０年８月１８日に米国特許出願第１２／８５８７１８号として出願され発明の名称が「ソーシャルグラフ情報を使用したロケーションのランク付け」である米国特許第８１５０８４４号明細書、２０１１年３月１８日に出願され発明の名称が「ユーザの通知寛容度に基づいたユーザへの通知の送信」である米国特許出願第１３／０５１２８６号明細書、２０１１年４月２８日に出願され発明の名称が「ユーザ装置にプッシュされる通知の管理」である米国特許出願第１３／０９６１８４号明細書、２０１１年１０月１８日に出願され発明の名称が「プラットフォームに特有の通知配布チャンネル」である米国特許出願第１３／２７６２４８号明細書、あるいは２０１１年２月１日に米国特許出願第１３／０１９０６１号として出願され発明の名称が「ゲオ・ソーシャルネットワーキング・システム用のソーシャル・コンポーネントを備えたモバイルの広告」である米国特許出願公開第２０１２／０１９７７０９号明細書に開示される１つ以上のシステム、コンポーネント、要素、機能、方法、オペレーションあるいは下記に示された工程を利用してもよい。それはすべて限定ではなく、例として参照によってここに組込まれる。本開示は特定の方法で、特定のコンテンツに関して配布される特定の広告について記述し例示するが、本開示においては、任意の適切な方法で、任意の適切なコンテンツに関して配布される任意の適切な広告が考えられる。
【００７２】
特定の実施形態においては、ソーシャルネットワーキング・システム１０６０は、互いに対する様々なソーシャルグラフエンティティのソーシャルグラフの類似性（以下「類似性」と呼ぶ）を決定する。類似性は、オンライン・ソーシャル・ネットワークに関連付けられる特定のオブジェクト間の関係または関心のレベルの強さを示し、オブジェクトは例えばユーザ、コンセプト、コンテンツ、アクション、広告、オンライン・ソーシャル・ネットワークに関連付けられる他のオブジェクト、あるいはその任意の適切な組み合わせなどである。類似性は、サードパーティ・システム１０７０や他の適切なシステムに関連付けられたオブジェクトに対してさらに決定される。各ユーザ、主題や、コンテンツのタイプにおけるソーシャルグラフのエンティティの全体的な類似性が確立される。全体的な類似性は、ソーシャルグラフのエンティティに関連付けられるアクションや関係の継続的なモニタリングに基づいて変化する。本開示は、特定の方法で特定の類似性を決定することを記述するが、本開示においては、任意の適切な方法で任意の適切な類似性を決定することが考えられる。
【００７３】
特定の実施形態においては、ソーシャルネットワーキング・システム１０６０は類似係数（以下「係数」と呼ぶ）を使用して、ソーシャルグラフの類似性を測定乃至定量する。係数は、オンライン・ソーシャル・ネットワークに関連付けられた特定のオブジェクト間の関係の強さを示すか定量する。係数は、ユーザがユーザのアクションにおける関心に基づいて特定のアクションを行う確率または予測される確率を測定する機能をさらに示す。このように、ユーザの将来のアクションはユーザの先のアクションに基づいて予想され、係数は、ユーザのアクションの履歴に少なくとも一部基づいて計算される。係数は任意の数のアクションを予想することに使用され、これは、オンライン・ソーシャル・ネットワーク内、あるいはそのネットワークの外部である。限定ではなく、例として、これらのアクションは、メッセージ送信、投稿内容、あるいは内容に関するコメントなどの様々なタイプのコミュニケーション、プロフィール・ページ、メディア、あるいは好適なコンテンツにアクセスしたり見るなどの様々なタイプの観察アクション、同じグループ内、同じ写真でのタグ付け、同じロケーションでのチェックイン、あるいは同じイベントへの参加などの２つ以上のソーシャルグラフのエンティティに関する様々なタイプの一致情報、あるいは他の適切なアクションを含む。本開示は、特定の方法で類似性を測定することを記述するが、本開示においては、任意の適切な方法で類似性を測定することが考えられる。
【００７４】
特定の実施形態においては、ソーシャルネットワーキング・システム１０６０は、係数を計算するための様々な要因を使用する。これらの要因は例えば、ユーザ・アクション、オブジェクト間の関係のタイプ、位置情報、他の適切な要因、あるいはこれらの任意の組み合わせを含む。特定の実施形態においては、係数を計算する場合、異なる要因が異なって重み付けされる。各要因のウェイトは固定であるか、あるいはウェイトは、例えばユーザ、関係のタイプ、アクションのタイプ、ユーザの位置などによって変化する。ユーザのための全体的な係数を決定するために、要因における格付けは、それらのウェイトに応じて組み合わされる。限定ではなく、例として、特定のユーザ・アクションは格付けとウェイトの両者を割り当てられ、特定のユーザ・アクションに関連付けられた関係は、格付けおよび関連するウェイト（例えば、これによりウェイトは１００％になる）を割り当てられる。特定のオブジェクトへのユーザの係数を計算するために、ユーザのアクションに割り当てられた格付けは、例えば、全体的な係数の６０％からなり、ユーザとオブジェクトとの間の関係は、全体的な係数の４０％からなる。特定の実施形態において、ソーシャルネットワーキング・システム１０６０は、係数を計算するために様々な要因のウェイトを決定する際に様々な変数を考慮する。例えば、情報がアクセスされてからの時間、減衰要因、アクセスの頻度、情報に対する関係あるいは情報がアクセスされたオブジェクトに対する関係、オブジェクトにつながるソーシャルグラフのエンティティとの関係、ユーザ・アクションの短期的または長期的な平均、ユーザ・フィードバック、他の適切な変数、あるいはこれらの任意の組み合わせなどである。限定ではなく、例として、係数は、特定のアクションによって得られる信号の強さを時間とともに減衰させる減衰要因を含み、これにより係数を計算する際に、より最近のアクションがより関連する。格付けおよびウェイトは、係数が基礎とするアクションの継続的な追跡に基づいて常に更新される。任意のタイプのプロセスやアルゴリズムが、各要因の格付けおよび要因に割り当てられるウェイトを割り当て、組み合わせ、平均するなどに使用される。特定の実施形態においては、ソーシャルネットワーキング・システム１０６０は、履歴上のアクション、および過去のユーザ応答に向けられる機械学習アルゴリズム、あるいは様々な選択肢にさらされるとともに応答を測定することによってユーザから得られるデータを使用して、係数を決定する。本開示は、特定の方法で係数を計算することを記述するが、本開示においては、任意の適切な方法で係数を計算することが考えられる。
【００７５】
特定の実施形態においては、ソーシャルネットワーキング・システム１０６０は、ユーザのアクションに基づいて係数を計算する。ソーシャルネットワーキング・システム１０６０は、オンライン・ソーシャル・ネットワーク上、サードパーティ・システム１０７０上、他の適切なシステム上、あるいはこれらの任意の組み合わせ上のアクションをモニタする。任意の適切なタイプのユーザ・アクションは追跡され、モニタされる。例示的なユーザ・アクションは、プロフィール・ページを見ること、コンテンツの形成または投稿、コンテンツとの対話、グループ連結、イベントにおけるリスト作成および参加確認、ロケーションでのチェックイン、特定のページのリンク貼り、ページ形成、およびソーシャル・アクションを促進する他のタスクを含む。特定の実施形態においては、ソーシャルネットワーキング・システム１０６０は、特定のタイプのコンテンツでのユーザのアクションに基づいて係数を計算する。コンテンツはオンライン・ソーシャル・ネットワーク、サードパーティ・システム１０７０、あるいは別の適切なシステムに関連付けられる。コンテンツは、ユーザ、プロフィール・ページ、ポスト、ニュース記事、ヘッドライン、インスタント・メッセージ、チャット・ルーム会話、電子メール、広告、画像、ビデオ、音楽、他の適切なオブジェクト、あるいはこれらの任意の組み合わせを含む。ソーシャルネットワーキング・システム１０６０は、１つ以上のアクションが主題、コンテンツ、他のユーザなどへの類似性を示すかどうか判断するためにユーザのアクションを分析する。限定ではなく、例として、ユーザが「コーヒー」やその変形に関連してコンテンツを頻繁に投稿する場合、ソーシャルネットワーキング・システム１０６０は、ユーザが概念「コーヒー」に対して高い係数を有すると判断する。特定のアクションあるいはアクションのタイプは、他のアクションよりも高いウェイトおよび／または格付けを割り当て、これは全体的な計算された係数に影響する。限定ではなく、例として、第１のユーザが第２のユーザに電子メールを送る場合、アクションのウェイトや格付けは、第１のユーザが第２のユーザのユーザ・プロフィール・ページを単に見る場合よりも高い。
【００７６】
特定の実施形態においては、ソーシャルネットワーキング・システム１０６０は、特定のオブジェクト間の関係のタイプに基づいて係数を計算する。ソーシャルグラフ１１００を参照して、ソーシャルネットワーキング・システム１０６０は、係数を計算する際に特定のユーザ・ノード１１０２およびコンセプト・ノード１１０４をつなぐエッジ１１０６の数および／またはタイプを分析する。限定ではなく、例として、配偶者タイプのエッジ（２人のユーザが結婚していることを示す）によってつなげられるユーザ・ノード１１０２は、友達タイプのエッジによってつなげられるユーザ・ノード１１０２よりも高い係数を割り当てられる。すなわち、特定のユーザにおけるアクションおよび関係に割り当てられるウェイトに応じて、全体的な類似性は、ユーザの友達に関するコンテンツにおけるよりもユーザの配偶者に関するコンテンツにおいてより高いと判断される。特定の実施形態においては、ユーザが別のオブジェクトと有する関係は、そのオブジェクトの係数の計算に関して、ユーザのアクションのウェイトおよび／または格付けに影響する。限定ではなく、例として、ユーザが第１の写真においてタグ付けされるが、単に第２の写真をいいね！する場合、コンテンツでタグ付けタイプの関係を有することは、コンテンツでいいね！タイプの関係を有するよりも高いウェイトおよび／または格付けを割り当てられるため、ソーシャルネットワーキング・システム１０６０は、ユーザが第２の写真よりも第１の写真に対してより高い係数を有すると判断する。特定の実施形態においては、ソーシャルネットワーキング・システム１０６０は、特定のオブジェクトで１人以上の第２のユーザが有する関係に基づいて第１のユーザの係数を計算する。すなわち、他のユーザがオブジェクトで有するつながりおよび係数は、第１のユーザのオブジェクトの係数に影響する。限定ではなく、例として、第１のユーザが１人以上の第２のユーザにつながるか高い係数を有し、それらの第２のユーザが特定のオブジェクトにつながるか高い係数を有する場合、ソーシャルネットワーキング・システム１０６０は、第１のユーザが特定のオブジェクトに比較的高い係数をさらに有すると判断する。特定の実施形態においては、係数は特定のオブジェクト間の隔たりの次数に基づく。より低い係数は、第１のユーザが、ソーシャルグラフ１１００における第１のユーザに間接的につながるユーザのコンテンツ・オブジェクトへの関心を共有する可能性が低減されることを示す。限定ではなく、例として、ソーシャルグラフ１１００においてより近い（つまり、より小次の隔たり）ソーシャルグラフのエンティティは、ソーシャルグラフ１１００においてさらに離間したエンティティよりも高い係数を有する。
【００７７】
特定の実施形態においては、ソーシャルネットワーキング・システム１０６０は、位置情報に基づいて係数を計算する。地理的に互いに近いオブジェクトは、互いにより離れたオブジェクトよりもより関連付けられるか、より高い関心を有するものと考えられる。特定の実施形態においては、特定のオブジェクトへのユーザの係数は、ユーザ（あるいはユーザのクライアント・システム１０３０の位置）に関連付けられる現在位置へのオブジェクトの位置の接近に基づく。第１のユーザは、第１のユーザに近接する他のユーザやコンセプトにより関心を有する。限定ではなく、例として、ユーザが空港から１マイル（約１．６キロメートル）かつガソリン・スタンドから２マイル（約３．２キロメートル）にいる場合、ソーシャルネットワーキング・システム１０６０は、ユーザに対する空港の近接に基づき、ユーザがガソリン・スタンドよりも空港により高い係数を有すると判断する。
【００７８】
特定の実施形態においては、ソーシャルネットワーキング・システム１０６０は係数情報に基づいてユーザに対して特定のアクションを実行する。係数は、ユーザがユーザのアクションへの関心に基づいて特定のアクションを実行するかどうかを予想するために使用される。広告、検索結果、ニュース記事、メディア、メッセージ、通知、あるいは他の適切なオブジェクトなどのユーザへの任意のタイプのオブジェクトを生成するか提示する際に、係数が使用される。場合に応じて係数は、そのようなオブジェクトをランク付け、および順序づけするためにも利用される。このように、ソーシャルネットワーキング・システム１０６０は、ユーザの関心および現在の状況に関連する情報を提供し、関心のあるそのような情報を見つける確率を上げる。特定の実施形態においては、ソーシャルネットワーキング・システム１０６０は、係数情報に基づいてコンテンツを生成する。コンテンツ・オブジェクトはユーザに特有の係数に基づいて、提供乃至選択される。限定ではなく、例として、係数はユーザのためにメディアを生成することに使用され、ユーザは、ユーザがメディア・オブジェクトに対して高い全体的な係数を有するメディアを提供される。限定ではなく、別例として、係数はユーザのために広告を生成することに使用され、ユーザは、ユーザが広告されるオブジェクトに対して高い全体的な係数を有する広告を提供される。特定の実施形態においては、ソーシャルネットワーキング・システム１０６０は、係数情報に基づいて検索結果を生成する。特定のユーザのための検索結果は、クエリ・ユーザに対する検索結果に関連付けられた係数に基づいて、スコア付け乃至ランク付けされる。限定ではなく、例として、より高い係数を備えたオブジェクトに対応する検索結果は、より低い係数を有するオブジェクトに対応する結果よりも検索結果ページに、より高くランク付けされる。
【００７９】
特定の実施形態においては、ソーシャルネットワーキング・システム１０６０は、特定のシステムかプロセスからの係数のリクエストに応じて係数を計算する。ユーザが所与の状況で取る可能性の高いアクション（あるいは主題である）を予想するために、任意のプロセスが、ユーザのための計算された係数をリクエストする。リクエストは、係数を計算するために使用される様々な要因に使用する１組のウェイトを含む。このリクエストは、オンライン・ソーシャル・ネットワーク上で実行されるプロセスに、サードパーティ・システム１０７０（例えばＡＰＩあるいは他の通信チャンネルを介した）に、あるいは別の適切なシステムに由来する。リクエストに応じて、ソーシャルネットワーキング・システム１０６０は係数を計算する（あるいは以前に計算され格納されている場合、係数情報にアクセスする）。特定の実施形態においては、ソーシャルネットワーキング・システム１０６０は、特定のプロセスに関して類似性を測定する。異なるプロセス（オンライン・ソーシャル・ネットワーク内部・外部の両者）は、特定のオブジェクトあるいはオブジェクトの組の係数をリクエストする。ソーシャルネットワーキング・システム１０６０は、類似性の基準をリクエストした特定のプロセスに関連する類似性の基準を提供する。このように、プロセスはそれぞれ、プロセスが類似性の基準を使用する、異なるコンテキストに適合する類似性の基準を受け取る。
【００８０】
ソーシャルグラフの類似性および類似係数に関して、特定の実施形態は、２００６年８月１１日に出願された米国特許出願第１１／５０３０９３号明細書、２０１０年１２月２２日に出願された米国特許出願第１２／９７７０２７号明細書、２０１０年１２月２３日に出願された米国特許出願第１２／９７８２６５号明細書、および２０１２年１０月１日に出願された米国特許出願第１３／６３２８６９号明細書に開示される１つ以上のシステム、コンポーネント、要素、機能、方法、作動、あるいは工程を利用し、これらの明細書は各々その全体がここに開示されたものとする。
【００８１】
コミュニケーション、転送、あるいは２つ以上のエンティティに関する他のアクティビティを表すために、図面において矢印が使用される。両端が矢の矢印は、通常アクティビティが双方向に（例えば、一方向のコマンド／リクエスト、および別の方向の対応する応答、あるいはいずれかのエンティティによって開示されるピア・ツー・ピア通信）生じることを示すが、いくつかの状況では、アクティビティは必ずしも双方向に生じなくてもよい。矢が一端のみの矢印は、一方向のみの、あるいは大部分が一方向のアクティビティを通常示すが、所定の状況では、そのような方向のあるアクティビティが実際双方向を含む（例えば、送信者から受信者へのメッセージ、受信者から送信者への認証、あるいは転送に先だった接続の確立および転送後の接続の終了）ものといえる。したがって、特定の活動を表すために特定の図面に使用される矢印のタイプは例示的なものであり、制限と見なされるべきではない。
【００８２】
標題が上部において便宜に使用されるが、本発明を任意の方法で制限するものと解釈されるものではないといえる。
「クライアント」、「サーバ」、「スイッチ」、および「ノード」のような用語は、ある実施形態において使用される装置を示すものとして使用されるが、明細書で特に要求されない限り、任意の所定の装置タイプに本発明を制限するものと解釈されるべきではないものといえる。従って、装置は、制限するものではないが、ブリッジ、ルータ、ブリッジ・ルータ（ブルータ）、スイッチ、ノード、サーバ、コンピュータ、器具、あるいは他のタイプの装置を含む。そのような装置は、装置機能を実行するために対応して構成されるコミュニケーション・ネットワークおよびプロセッサ（例えば、メモリを備えたマイクロプロセッサ、他の周辺装置、および／またはアプリケーションに特有のハードウェア）上で通信するために通常１つ以上のネットワーク・インターフェースを含む。コミュニケーション・ネットワークは通常公衆および／または個人のネットワークを含み、例えばローカルエリア、ワイドエリア、メトロポリタンエリア、記憶装置、および／または他のタイプのネットワークを含み、制限するものではないが、アナログ技術、デジタル技術、光技術、無線技術（例えばブルートゥース）、ネットワーキング技術、およびインターネットワーキング技術を含むコミュニケーション・テクノロジーを使用する。
【００８３】
装置は、通信プロトコルおよびメッセージ（例えば装置によって作成、送信、受信、格納、および／または処理されるメッセージ）を使用し、また、そのようなメッセージはコミュニケーション・ネットワークや媒体によって伝えられるものであるといえる。コンテキストが他の方法を要求しない限り、本発明は、任意の特定のコミュニケーション・メッセージ・タイプ、コミュニケーション・メッセージ・フォーマット、あるいは通信プロトコルに制限されるものと解釈されるべきではない。従って、コミュニケーション・メッセージは、通常フレーム、パケット、データグラム、ユーザ・データグラム、セル、あるいは他のタイプのコミュニケーション・メッセージを含むが、これらに限定されるものではない。コンテキストが他の方法を要求しない限り、特定の通信プロトコルの参照は例示的であり、場合に応じて別例は、今後周知となるか開発される通信プロトコルの変形を使用してもよい（例えば、随時形成されるプロトコルの変形や拡張）。
【００８４】
ロジック・フローが開示される実施形態の様々な態様を実証するために開示されるが、本発明を任意の特定のロジック・フローやロジック実施に制限するものと解釈されるべきではないものといえる。開示されるロジックは、全体的な結果を変更することなく、あるいは本発明の実際の範囲から逸脱することなく、異なるロジック・ブロック（例えばプログラム、モジュール、機能や、サブルーチン）に分割されてもよい。随時、ロジック要素は、全体的な結果を変更することなく、あるいは本発明の実際の範囲から逸脱することなく、付加され、修正され、省略され、異なる順で実施され、あるいは異なるロジック構成（例えばロジックゲート、ループする原始関数、条件付きのロジック、および、他のロジック構成）を使用して実行される。
【００８５】
複数のアンテナを有する無線通信装置の特定の実施形態は、（１）高周波信号を送信し、（２）アンテナの各々によるオブジェクトによって反射された、送信された高周波信号の一部を受け取り、（３）受信信号の信号強度に基づいて無線通信装置に対するオブジェクトの接近を決定し、（４）オブジェクトの接近に基づいて無線通信装置を制御することにより、無線通信装置を制御する方法を提供する。
【００８６】
特定の実施形態における複数のアンテナを有する無線通信装置は、（１）複数のアンテナの各々から信号を受け取り、（２）信号の各々の信号レベルを決定し、（３）信号の相対的な信号レベルに基づいてオブジェクトの配向を決定することにより、オブジェクトの配向を検知してもよい。信号の各々の相対的な信号レベルに基づいてオブジェクトの配向を決定することは、（１）相対的な信号レベルに基づいてアンテナのうちの少なくとも１つを保護し、（２）保護されたアンテナのパターンあるいは保護されていないアンテナのパターンの少なくとも１つに基づいて配向を決定することを含む。無線通信装置はＲＦＩＤ読取装置を含む携帯電話である。無線通信装置は、さらにＲＦＩＤ読取装置に連結された１本以上の補助アンテナを含む。
【００８７】
本発明は、プロセッサ（例えばマイクロプロセッサ、マイクロコントローラ、デジタル信号プロセッサ、あるいは汎用コンピュータ）と組み合わせた使用のためのコンピュータ・プログラム・ロジック、プログラマブル論理回路（例えばフィールド・プログラマブル・ゲート・アレイ（ＦＰＧＡ）あるいは他のＰＬＤ）と組み合わせた使用のためのプログラマブル・ロジック、個別のコンポーネント、集積回路（例えば特定用途向け集積回路（ＡＳＩＣ））、あるいはこれらの任意の組み合わせを含む他の手段を含む様々な形態で実施されるが、これらに制限されるものではない。開示される機能のうちのいくらかあるいはすべてを実行するコンピュータ・プログラム・ロジックは、コンピュータ実行可能な形式に変換され、コンピュータ読取可能な媒体などに格納され、オペレーティング・システムの管理下でマイクロプロセッサによって実行される、１組のコンピュータ・プログラム命令として通常実行される。開示された機能のうちのいくらかあるいはすべてを実行するハードウェアベースのロジックは、１つ以上の適切に構成されたＦＰＧＡを使用して実行される。
【００８８】
上述した機能のすべてあるいは一部を実行するコンピュータ・プログラム・ロジックは、様々な形態で実施され、ソース・コード形式、コンピュータが実行可能な形態、および様々な中間の形態（例えばアセンブラ、コンパイラ、リンカ、あるいはロケータによって生成される形式）を含むが、これらに制限されるものではない。ソース・コードは、様々なオペレーティング・システムあるいは操作環境と組み合わせた使用のための任意の様々なプログラミング言語（例えば、オブジェクトコード、アセンブリ言語、あるいはＦＯＲＴＲＡＮ、Ｃ、Ｃ＋＋、ＪＡＶＡ（登録商標）あるいはＨＴＭＬのような高水準言語）で実行される一連のコンピュータ・プログラム命令を含む。ソース・コードは各種データ構造およびコミュニケーション・メッセージを定義し使用する。ソース・コードはコンピュータ実行可能な形式（例えばインタープリタにより）であるか、あるいはソース・コードはコンピュータ実行可能な形式に変換される（例えば、トランスレータ、アセンブラ、あるいはコンパイラにより）。
【００８９】
上述した機能のすべてあるいは一部を実行するコンピュータ・プログラム・ロジックは、シングル・プロセッサ（例えば同時に）上の異なる時間に実行され、あるいは複数のプロセッサ上で同じか異なる時間に実行され、単一のオペレーティング・システム・プロセス／スレッド、あるいは異なるオペレーティング・システム・プロセス／スレッド下で実行される。従って、用語「コンピュータ・プロセス」は、通常異なるコンピュータ・プロセスが同じか異なるプロセッサ上で実行されるかどうか、および同じオペレーティング・システム・プロセス／スレッドあるいは異なるオペレーティング・システム・プロセス／スレッド下で異なるコンピュータ・プロセスが実行されるかどうかにかかわらず、１組のコンピュータ・プログラム命令の実行を指す。
【００９０】
コンピュータ・プログラムは、半導体記憶装置（例えばＲＡＭ、ＲＯＭ、ＰＲＯＭ、ＥＥＰＲＯＭあるいはフラッシュ・プログラマブルＲＡＭ）、磁気記憶装置（例えばディスケットや固定ディスク）、光メモリ装置（例えばＣＤ−ＲＯＭ）、ＰＣカード（例えばＰＣＭＣＩＡカード）、あるいは他のメモリ素子のような知覚可能な記憶メディアに任意の形式（例えばソース・コード形式、コンピュータ実行可能な形式、あるいは中間の形式）に恒久的にあるいは一時的に固定される。コンピュータ・プログラムは、限定されるものではないが、アナログ技術、デジタル技術、光技術、無線技術（例えばブルートゥース）、ネットワーキング技術、およびインターネットワーキング技術を含む任意の様々なコミュニケーション・テクノロジーを使用して、コンピュータに伝達可能な信号の任意の形式に固定される。コンピュータ・プログラムは、印刷または電子文書を備えたリムーバブルストレージ・メディア（例えば、包装パッケージのソフトウェア）として任意の形態で配布されるか、コンピュータ・システムにプリインストールされるか（例えば、システムＲＯＭあるいは固定ディスク上に）、通信システム（例えば、インターネットやワールド・ワイド・ウェブ）上のサーバや電子掲示板から配布される。
【００９１】
上述した機能のすべてあるいは一部を実行するハードウェア・ロジック（プログラマブル論理回路と組み合わせて使用されるプログラマブル・ロジックを含む）は、従来のマニュアルの方法を使用して設計されるか、あるいは、コンピュータ利用設計（ＣＡＤ）、ハードウェア記述言語（例えばＶＨＤＬやＡＨＤＬ）、あるいはＰＬＤプログラミング言語（例えばＰＡＬＡＳＭ、ＡＢＥＬや、ＣＵＰＬ）のような様々なツールを電子的に使用して、設計され、キャプチャされ、シミュレートされ、文書化される。
【００９２】
プログラマブル・ロジックは、半導体記憶装置（例えばＲＡＭ、ＲＯＭ、ＰＲＯＭ、ＥＥＰＲＯＭ、あるいはフラッシュ・プログラマブルＲＡＭ）、磁気記憶装置（例えばディスケットや固定ディスク）、光メモリ装置（例えばＣＤ−ＲＯＭ）、あるいは他のメモリ素子のような知覚可能な記憶メディアに恒久的にあるいは一時的に固定される。プログラマブル・ロジックは、限定されるものではないが、アナログ技術、デジタル技術、光技術、無線技術（例えばブルートゥース）、ネットワーキング技術、およびインターネットワーキング技術を含む任意の様々なコミュニケーション・テクノロジーを使用して、コンピュータに伝達可能な信号の任意の形式に固定される。プログラマブル・ロジックは、印刷または電子文書を備えたリムーバブルストレージ・メディア（例えば、包装パッケージのソフトウェア）として配布されるか、コンピュータ・システムにプリインストールされるか（例えば、システムＲＯＭあるいは固定ディスク上に）、通信システム（例えば、インターネットやワールド・ワイド・ウェブ）上のサーバや電子掲示板から配布される。いくつかの実施形態は、ソフトウェア（例えばコンピュータ・プログラム製品）およびハードウェアの両者の組み合わせとして実施される。まだ、他の実施形態は完全にハードウェア、あるいは完全にソフトウェアとして実施される。
【００９３】
本明細書においては、「または（もしくは）」は、包含的であり、排他的ではない（ただし、そうではないことが明示されている場合、または、そうではないことが文脈によって示されている場合は除く）。したがって、本明細書においては、「ＡまたはＢ」は、「Ａ、Ｂ、またはその両方」を意味する（ただし、そうではないことが明示されている場合、または、そうではないことが文脈によって示されている場合は除く）。その上、「および（ならびに）」は、包括的および個別的の両方である（ただし、そうではないことが明示されている場合、または、そうではないことが文脈によって示されている場合は除く）。したがって、本明細書においては、「ＡおよびＢ」は、「まとめて、または個別に、ＡおよびＢ」を意味する（ただし、そうではないことが明示されている場合、または、そうではないことが文脈によって示されている場合は除く）。
【００９４】
本開示の範囲は、当技術分野における標準的な技術者が理解するであろう、本明細書において記述されているまたは示されている例示的な実施形態に対するすべての変更、置換、変形、改変、および修正を包含する。本開示の範囲は、本明細書において記述されているまたは示されている例示的な実施形態に限定されない。その上、本開示は、本明細書におけるそれぞれの実施形態を、特定のコンポーネント、要素、機能、オペレーション、または工程を含むものとして記述し、示しているが、これらの実施形態のいずれも、当技術分野における標準的な技術者が理解するであろう、本明細書の任意の箇所において記述されているまたは示されているコンポーネント、要素、機能、オペレーション、または工程のうちの任意のものの任意の組合せまたは順列を含むことができる。さらに、特定の機能を実行するように適合されている、実行するようにアレンジされている、実行することができる、実行するように構成されている、実行することを可能にされている、実行するように機能できる、または実行するように機能する装置もしくはシステム、または装置もしくはシステムのコンポーネントへの添付の特許請求の範囲における言及は、その装置、システム、コンポーネント、またはその特定の機能が、アクティブ化されているか否か、オンにされているか否か、またはロック解除されているか否かを問わず、その装置、システム、またはコンポーネントが、そうするように適合されている、そうするようにアレンジされている、そうすることができる、そうするように構成されている、そうすることを可能にされている、そうするように機能できる、またはそうするように機能する限り、その装置、システム、コンポーネントを包含する。
【図１】
2018023105.tif 000003
【図２】
2018023105.tif 000004
【図３】
2018023105.tif 000005
【図４】
2018023105.tif 000006
【図５】
2018023105.tif 000007
【図６】
2018023105.tif 000008
【図７】
2018023105.tif 000009
【図８】
2018023105.tif 000010
【図９】
2018023105.tif 000011
【図１０】
2018023105.tif 000012
【図１１】
2018023105.tif 000013